(57)【要約】      （修正有）【課題】ユーザ機器による検出を容易にするための、ページングメッセージ送信方法、基地局、およびユーザ機器を提供する。【解決手段】基地局は、第１のページングメッセージに含まれる指示情報を決定し、指示情報は、第１のページングメッセージを受信するように、および／または第２のページングメッセージを受信するようにユーザ機器に指示するために使用され２０１、指示情報を含む第１のページングメッセージを送信し、第１のページングメッセージは第１のトランスポートブロックに含まれ２０２、指示情報が第２のページングメッセージを受信するようにユーザ機器に指示する場合に、第２のページングメッセージを送信し、第２のページングメッセージは第２のトランスポートブロックに含まれ、第２のトランスポートブロックおよび第１のトランスポートブロックは別々に送信される異なるトランスポートブロックである２０３。【選択図】図２
2020010374.tif 000002
【特許請求の範囲】
【請求項１】
ページングメッセージ送信方法であって、
第1のページングメッセージに含まれる指示情報を決定するステップであって、前記指示情報は、前記第1のページングメッセージを受信するように、および／または第2のページングメッセージを受信するようにユーザ機器（UE）に指示するために使用される、ステップと、
前記指示情報を含む前記第1のページングメッセージを送信するステップであって、前記第1のページングメッセージは第1のトランスポートブロックに含まれる、ステップと、
前記指示情報が前記第2のページングメッセージを受信するように前記ユーザ機器に指示する場合に、前記第2のページングメッセージを送信するステップであって、前記第2のページングメッセージは第2のトランスポートブロックに含まれ、前記第2のトランスポートブロックおよび前記第1のトランスポートブロックは別々に送信される異なるトランスポートブロックである、ステップと
を含む方法。
【請求項２】
前記第1のページングメッセージがページングUEサブアイデンティティ（ID）を含み、同じUEに対応する複数のサブIDがページングUE IDを形成し、前記ページングUEサブIDは、前記ページングUE IDのいくつかの情報を含み、および／または
前記第2のページングメッセージが、前記ページングUE IDを形成する別のページングUEサブIDを含む、請求項1に記載の方法。
【請求項３】
前記ページングUE IDを形成するページングUEサブIDの数が、予め設定されるかまたはシグナリングによって示される、および／または、
前記第1のページングメッセージに含まれ、かつページングUE IDに関連付けられるページングUEサブIDの数が、予め設定されるかまたはシグナリングによって示される、および／または、
前記第2のページングメッセージに含まれ、かつ前記ページングUE IDに関連付けられるページングUEサブIDの数が、予め設定されるかまたはシグナリングによって示される、請求項2に記載の方法。
【請求項４】
前記ページングUE IDを形成するページングUEサブIDの長さが、予め設定されるかまたはシグナリングによって示される、および／または、
前記第1のページングメッセージに含まれ、かつページングUE IDに関連付けられるページングUEサブIDの長さが、予め設定されるかまたはシグナリングによって示される、および／または、
前記第2のページングメッセージに含まれ、かつ前記ページングUE IDに関連付けられるページングUEサブIDの長さが、予め設定されるかまたはシグナリングによって示される、請求項2に記載の方法。
【請求項５】
事前定義に従って前記第1のページングメッセージのフォーマットを決定するステップ、または、
前記第1のページングメッセージのフォーマットを自己決定し、シグナリングまたは暗黙指示を使用して、前記第1のページングメッセージの決定された前記フォーマットをピアデバイスに通知するステップ
をさらに含む、請求項1から4のいずれか一項に記載の方法。
【請求項６】
前記シグナリングが、前記指示情報、システム情報、無線リソース制御シグナリング、メディアアクセス制御シグナリング、または物理層シグナリングのうちの1つまたは複数である、請求項5に記載の方法。
【請求項７】
前記指示情報が、システム情報の更新の指示情報、地震津波警報システムの指示情報、または商用移動警報サービスの指示情報のうちの1つまたは複数を含む、請求項1から6のいずれか一項に記載の方法。
【請求項８】
前記指示情報が、ページングUE IDを示す設定情報を含み、
前記ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む、請求項1から7のいずれか一項に記載の方法。
【請求項９】
前記指示情報が、前記第2のページングメッセージのサイズ情報、前記第2のページングメッセージの変調情報、前記第2のページングメッセージの符号化情報、前記第2のページングメッセージの時間リソース情報、前記第2のページングメッセージの周波数リソース情報、前記第2のページングメッセージの電力設定情報、前記第2のページングメッセージに含まれるページングUE IDタイプ情報、前記第2のページングメッセージに含まれるページングUE ID数量情報、または前記第2のページングメッセージの構造情報のうちの1つまたは複数を含む、請求項1から8のいずれか一項に記載の方法。
【請求項１０】
前記第2のページングメッセージが指示情報を含み、前記第2のページングメッセージの前記指示情報が、前記第2のページングメッセージを示すために、および／または第3のページングメッセージを示すために使用される、請求項1から9のいずれか一項に記載の方法。
【請求項１１】
前記第1のページングメッセージを送信するために使用される時間リソース情報および／または周波数リソース情報が、いくつかのページングUE IDまたはページングUEサブIDを示すために使用される、請求項1から10のいずれか一項に記載の方法。
【請求項１２】
ページングメッセージ送信方法であって、
第1のページングメッセージに含まれる指示情報を取得するステップであって、前記指示情報は、前記第1のページングメッセージを受信するように、および／または第2のページングメッセージを受信するように指示するために使用される関連情報である、ステップと、
前記第1のページングメッセージおよび／または前記第2のページングメッセージを前記指示情報に従って決定するステップであって、前記第1のページングメッセージは第1のトランスポートブロックに含まれ、前記第2のページングメッセージは第2のトランスポートブロックに含まれ、前記第1のトランスポートブロックおよび前記第2のトランスポートブロックは別々に送信される異なるトランスポートブロックである、ステップと
を含む方法。
【請求項１３】
前記第1のページングメッセージがページングユーザ機器（UE）のサブアイデンティティ（ID）を含み、同じUEに対応する複数のサブIDがページングUE IDを形成し、前記ページングUEサブIDは、前記ページングUE IDのいくつかの情報を含み、および／または
前記第2のページングメッセージが、前記ページングUE IDを形成する別のページングUEサブIDを含む、請求項12に記載の方法。
【請求項１４】
前記ページングUE IDを形成するページングUEサブIDの数が、予め設定されるかまたはシグナリングによって示される、および／または、
前記第1のページングメッセージに含まれ、かつページングUE IDに関連付けられるページングUEサブIDの数が、予め設定されるかまたはシグナリングによって示される、および／または、
前記第2のページングメッセージに含まれ、かつ前記ページングUE IDに関連付けられるページングUEサブIDの数が、予め設定されるかまたはシグナリングによって示される、請求項13に記載の方法。
【請求項１５】
前記ページングUE IDを形成するページングUEサブIDの長さが、予め設定されるかまたはシグナリングによって示される、および／または、
前記第1のページングメッセージに含まれ、かつページングUE IDに関連付けられるページングUEサブIDの長さが、予め設定されるかまたはシグナリングによって示される、および／または、
前記第2のページングメッセージに含まれ、かつ前記ページングUE IDに関連付けられるページングUEサブIDの長さが、予め設定されるかまたはシグナリングによって示される、請求項13に記載の方法。
【請求項１６】
事前定義に従って前記第1のページングメッセージのフォーマットを決定するステップ、または、
シグナリングを受信し、受信された前記シグナリングに従って前記第1のページングメッセージのフォーマットを決定するステップ、または、
暗黙指示に従って前記第1のページングメッセージのフォーマットを決定するステップ
をさらに含む、請求項12から15のいずれか一項に記載の方法。
【請求項１７】
前記シグナリングが、前記指示情報、システム情報、無線リソース制御シグナリング、メディアアクセス制御シグナリング、または物理層シグナリングのうちの1つまたは複数である、請求項16に記載の方法。
【請求項１８】
前記指示情報が、システム情報の更新の指示情報、地震津波警報システムの指示情報、または商用移動警報サービスの指示情報のうちの1つまたは複数を含む、請求項12から17のいずれか一項に記載の方法。
【請求項１９】
前記指示情報が、ページングUE IDを示す設定情報を含み、
前記ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む、請求項12から18のいずれか一項に記載の方法。
【請求項２０】
前記指示情報が、前記第2のページングメッセージのサイズ情報、前記第2のページングメッセージの変調情報、前記第2のページングメッセージの符号化情報、前記第2のページングメッセージの時間リソース情報、前記第2のページングメッセージの周波数リソース情報、前記第2のページングメッセージの電力設定情報、前記第2のページングメッセージに含まれるページングUE IDタイプ情報、前記第2のページングメッセージに含まれるページングUE ID数量情報、または前記第2のページングメッセージの構造情報のうちの1つまたは複数を含む、請求項12から19のいずれか一項に記載の方法。
【請求項２１】
前記第1のページングメッセージおよび／または前記第2のページングメッセージを前記指示情報に従って決定する前記ステップが、
前記第1のページングメッセージまたは前記第1のページングメッセージに含まれる前記指示情報に従って、前記第2のページングメッセージのトランスポートブロックサイズ、前記第2のページングメッセージの構造、または前記第2のページングメッセージが存在するかどうかのうちの1つまたは複数を決定するステップ
を含む、請求項12から20のいずれか一項に記載の方法。
【請求項２２】
前記第1のページングメッセージおよび／または前記第2のページングメッセージを前記指示情報に従って決定する前記ステップが、
決定された前記第1のページングメッセージに一致するページングUEサブIDが存在しない場合、前記第2のページングメッセージの受信を停止するステップ、または、
前記第1のページングメッセージに一致するページングUEサブIDが存在する場合、前記第2のページングメッセージを受信するステップ
を含む、請求項21に記載の方法。
【請求項２３】
前記第2のページングメッセージが指示情報を含み、前記第2のページングメッセージの前記指示情報は、前記第2のページングメッセージを示すために、および／または第3のページングメッセージを示すために使用される、請求項12から22のいずれか一項に記載の方法。
【請求項２４】
前記第1のページングメッセージおよび／または前記第2のページングメッセージを前記指示情報に従って決定する前記ステップが、
前記第1のページングメッセージを送信するために使用される時間リソース情報および／または周波数リソース情報を用いて、いくつかのページングUE IDまたはページングUEサブIDを決定するステップ
を含む、請求項12から23のいずれか一項に記載の方法。
【請求項２５】
基地局であって、
第1のページングメッセージに含まれる指示情報を決定するように構成された決定モジュールであって、前記指示情報は、前記第1のページングメッセージを受信するように、および／または第2のページングメッセージを受信するようにユーザ機器（UE）に指示するために使用される、決定モジュールと、
前記指示情報を含む前記第1のページングメッセージを送信するように構成された第1の送信モジュールであって、前記第1のページングメッセージは第1のトランスポートブロックに含まれる、第1の送信モジュールと、
前記指示情報が前記第2のページングメッセージを受信するように前記ユーザ機器に指示する場合に、前記第2のページングメッセージを送信するように構成された第2の送信モジュールであって、前記第2のページングメッセージは第2のトランスポートブロックに含まれ、前記第2のトランスポートブロックおよび前記第1のトランスポートブロックは別々に送信される異なるトランスポートブロックである、第2の送信モジュールと
を備える基地局。
【請求項２６】
前記第1のページングメッセージがページングUEサブアイデンティティ（ID）を含み、同じUEに対応する複数のサブIDがページングUE IDを形成し、前記ページングUEサブIDは、前記ページングUE IDのいくつかの情報を含み、および／または
前記第2のページングメッセージが、前記ページングUE IDを形成する別のページングUEサブIDを含む、請求項25に記載の基地局。
【請求項２７】
前記ページングUE IDを形成するページングUEサブIDの数が、予め設定されるかまたはシグナリングによって示される、および／または、
前記第1のページングメッセージに含まれ、かつページングUE IDに関連付けられるページングUEサブIDの数が、予め設定されるかまたはシグナリングによって示される、および／または、
前記第2のページングメッセージに含まれ、かつ前記ページングUE IDに関連付けられるページングUEサブIDの数が、予め設定されるかまたはシグナリングによって示される、請求項26に記載の基地局。
【請求項２８】
前記ページングUE IDを形成するページングUEサブIDの長さが、予め設定されるかまたはシグナリングによって示される、および／または、
前記第1のページングメッセージに含まれ、かつページングUE IDに関連付けられるページングUEサブIDの長さが、予め設定されるかまたはシグナリングによって示される、および／または、
前記第2のページングメッセージに含まれ、かつ前記ページングUE IDに関連付けられるページングUEサブIDの長さが、予め設定されるかまたはシグナリングによって示される、請求項26に記載の基地局。
【請求項２９】
前記決定モジュールが、事前定義に従って前記第1のページングメッセージのフォーマットを決定するように、または前記第1のページングメッセージのフォーマットを自己決定するように構成され、前記第1の送信モジュールが、シグナリングまたは暗黙指示を使用して、前記第1のページングメッセージの決定された前記フォーマットをピアデバイスに通知する、請求項25から28のいずれか一項に記載の基地局。
【請求項３０】
前記シグナリングが、前記指示情報、システム情報、無線リソース制御シグナリング、メディアアクセス制御シグナリング、または物理層シグナリングのうちの1つまたは複数である、請求項29に記載の基地局。
【請求項３１】
前記指示情報が、システム情報の更新の指示情報、地震津波警報システムの指示情報、または商用移動警報サービスの指示情報のうちの1つまたは複数を含む、請求項25から30のいずれか一項に記載の基地局。
【請求項３２】
前記指示情報が、ページングUE IDを示す設定情報を含み、
前記ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む、請求項25から31のいずれか一項に記載の基地局。
【請求項３３】
前記指示情報が、前記第2のページングメッセージのサイズ情報、前記第2のページングメッセージの変調情報、前記第2のページングメッセージの符号化情報、前記第2のページングメッセージの時間リソース情報、前記第2のページングメッセージの周波数リソース情報、前記第2のページングメッセージの電力設定情報、前記第2のページングメッセージに含まれるページングUE IDタイプ情報、前記第2のページングメッセージに含まれるページングUE ID数量情報、または前記第2のページングメッセージの構造情報のうちの1つまたは複数を含む、請求項25から32のいずれか一項に記載の基地局。
【請求項３４】
前記第2のページングメッセージが指示情報を含み、前記第2のページングメッセージの前記指示情報が、前記第2のページングメッセージを示すために、および／または第3のページングメッセージを示すために使用される、請求項25から33のいずれか一項に記載の基地局。
【請求項３５】
前記第1のページングメッセージを送信するために使用される時間リソース情報および／または周波数リソース情報が、いくつかのページングUE IDまたはページングUEサブIDを示すために使用される、請求項25から34のいずれか一項に記載の基地局。
【請求項３６】
ユーザ機器（UE）であって、
第1のページングメッセージに含まれる指示情報を取得するように構成された取得モジュールであって、前記指示情報は、前記第1のページングメッセージを受信するように、および／または第2のページングメッセージを受信するように指示するために使用される関連情報である、取得モジュールと、
前記第1のページングメッセージおよび／または前記第2のページングメッセージを前記指示情報に従って決定するように構成された決定モジュールであって、前記第1のページングメッセージは第1のトランスポートブロックに含まれ、前記第2のページングメッセージは第2のトランスポートブロックに含まれ、前記第1のトランスポートブロックおよび前記第2のトランスポートブロックは別々に送信される異なるトランスポートブロックである、決定モジュールと
を備えるユーザ機器。
【請求項３７】
前記第1のページングメッセージがページングユーザ機器（UE）のサブアイデンティティ（ID）を含み、同じUEに対応する複数のサブIDがページングUE IDを形成し、前記ページングUEサブIDは、前記ページングUE IDのいくつかの情報を含み、および／または
前記第2のページングメッセージが、前記ページングUE IDを形成する別のページングUEサブIDを含む、請求項36に記載のユーザ機器。
【請求項３８】
前記ページングUE IDを形成するページングUEサブIDの数が、予め設定されるかまたはシグナリングによって示される、および／または、
前記第1のページングメッセージに含まれ、かつページングUE IDに関連付けられるページングUEサブIDの数が、予め設定されるかまたはシグナリングによって示される、および／または、
前記第2のページングメッセージに含まれ、かつ前記ページングUE IDに関連付けられるページングUEサブIDの数が、予め設定されるかまたはシグナリングによって示される、請求項37に記載のユーザ機器。
【請求項３９】
前記ページングUE IDを形成するページングUEサブIDの長さが、予め設定されるかまたはシグナリングによって示される、および／または、
前記第1のページングメッセージに含まれ、かつページングUE IDに関連付けられるページングUEサブIDの長さが、予め設定されるかまたはシグナリングによって示される、および／または、
前記第2のページングメッセージに含まれ、かつ前記ページングUE IDに関連付けられるページングUEサブIDの長さが、予め設定されるかまたはシグナリングによって示される、請求項37に記載のユーザ機器。
【請求項４０】
前記決定モジュールが、事前定義に従って前記第1のページングメッセージのフォーマットを決定するように、または、シグナリングを受信し、受信された前記シグナリングに従って前記第1のページングメッセージのフォーマットを決定するように、または暗黙指示に従って前記第1のページングメッセージのフォーマットを決定するようにさらに構成される、請求項36から39のいずれか一項に記載のユーザ機器。
【請求項４１】
前記シグナリングが、前記指示情報、システム情報、無線リソース制御シグナリング、メディアアクセス制御シグナリング、または物理層シグナリングのうちの1つまたは複数である、請求項40に記載のユーザ機器。
【請求項４２】
前記指示情報が、システム情報の更新の指示情報、地震津波警報システムの指示情報、または商用移動警報サービスの指示情報のうちの1つまたは複数を含む、請求項36から41のいずれか一項に記載のユーザ機器。
【請求項４３】
前記指示情報が、ページングUE IDを示す設定情報を含み、
前記ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む、請求項36から42のいずれか一項に記載のユーザ機器。
【請求項４４】
前記指示情報が、前記第2のページングメッセージのサイズ情報、前記第2のページングメッセージの変調情報、前記第2のページングメッセージの符号化情報、前記第2のページングメッセージの時間リソース情報、前記第2のページングメッセージの周波数リソース情報、前記第2のページングメッセージの電力設定情報、前記第2のページングメッセージに含まれるページングUE IDタイプ情報、前記第2のページングメッセージに含まれるページングUE ID数量情報、または前記第2のページングメッセージの構造情報のうちの1つまたは複数を含む、請求項36から43のいずれか一項に記載のユーザ機器。
【請求項４５】
前記決定モジュールが、具体的には、前記第1のページングメッセージまたは前記第1のページングメッセージに含まれる前記指示情報に従って、前記第2のページングメッセージのトランスポートブロックサイズ、前記第2のページングメッセージの構造、または前記第2のページングメッセージが存在するかどうかのうちの1つまたは複数を決定するように構成される、請求項36から45のいずれか一項に記載のユーザ機器。
【請求項４６】
前記取得モジュールが、具体的には、決定された前記第1のページングメッセージに一致するページングUEサブIDが存在しない場合、前記第2のページングメッセージの受信を停止するように、または、前記第1のページングメッセージに一致するページングUEサブIDが存在する場合、前記第2のページングメッセージを受信するように構成される、請求項45に記載のユーザ機器。
【請求項４７】
前記第2のページングメッセージが指示情報を含み、前記第2のページングメッセージの前記指示情報は、前記第2のページングメッセージを示すために、および／または第3のページングメッセージを示すために使用される、請求項36から46のいずれか一項に記載のユーザ機器。
【請求項４８】
前記決定モジュールが、具体的には、前記第1のページングメッセージを送信するために使用される時間リソース情報および／または周波数リソース情報を用いて、いくつかのページングUE IDまたはページングUEサブIDを決定するように構成される、請求項36から47のいずれか一項に記載のユーザ機器。
【発明の詳細な説明】
【技術分野】
【０００１】
本発明の実施態様は、通信分野に関し、特に、ページングメッセージ送信方法、基地局、およびユーザ機器に関する。
【背景技術】
【０００２】
既存の通信システムでは、ユーザ機器（UE、user equipment）は、まず制御チャネルを受信し、受信された制御チャネル内の制御情報に従って、制御チャネルによってスケジューリングされるデータチャネル上で搬送されるトランスポートブロックのサイズ（TBS、Transport Block Size）を決定し、トランスポートブロックサイズが決定された後にのみデータの受信を開始する。例えば、ロングタームエボリューション（LTE、Long Term Evolution）システムでは、制御チャネルは、物理ダウンリンク制御チャネル（Physical Downlink Control Channel、PDCCH）または拡張物理ダウンリンク制御チャネル（Enhanced Physical Downlink Control Channel、EPDCCH）、およびデータチャネルは、物理ダウンリンク共有データチャネル（PDSCH、Physical Downlink Shared Channel）であってもよい。ユーザ機器は、PDCCHまたはEPDCCHから、PDSCHで搬送されるトランスポートブロックのサイズTBSを決定する。データチャネルが受信される前に、制御チャネルは、データチャネル上で搬送されるトランスポートブロックのTBSを示す。したがって、必要に応じて、データチャネル上で搬送されるトランスポートブロックのTBSの値が変化してもよい。
【０００３】
既存のLTEシステムでは、アイドル状態にあるUEは、ネットワーク側または基地局がUEをページングするかどうかを決定するためにページングメッセージをリスンする必要がある。接続状態にあるUEは、システム情報が更新されているかどうかを決定するためにページングメッセージをリスンする必要がある。基地局によってUEに送信されたページングメッセージはデータチャネル上で搬送され、データチャネルは制御チャネルによってスケジューリングされる。したがって、ページングメッセージをリスンするとき、UEは、まず、ページングメッセージをスケジューリングする制御チャネルを検出する必要がある。ページングメッセージを搬送するデータチャネルは、制御チャネルの指示に従って、制御チャネルが正常に検出された後にのみ受信される。
【０００４】
アイドル状態にあるUEのために、ページングメッセージを搬送するデータチャネルをUEが正常に検出すると、UEは、ページングメッセージで搬送されたページングUE IDとUEのページングUE IDとを一致させる必要がある。一致が成功した場合、すなわち、UEのページングUE IDがページングメッセージで搬送された1つのページングUE IDと同じである場合、UEはネットワーク側または基地局がUEをページングすると決定する。そうでなければ、UEはUEがページングされていないことをページングメッセージが示すと決定する。
【０００５】
ページングメッセージは、1つまたは複数のページングUE IDを含んでもよい。したがって、ページングメッセージは、1つまたは複数のUEをページングするために使用されてもよい。上述したように、UEは、制御チャネルおよび制御チャネルによってスケジューリングされたページングメッセージを正常に検出した後にのみ、UEがページングされているとページングメッセージが示すかどうか、またはページングメッセージがシステムメッセージの更新を示すかどうかを決定できる。UEは、制御チャネルおよび制御チャネルによってスケジューリングされたページングメッセージを正常に検出することができるが、UEがページングされているとページングメッセージが示さない、またはページングメッセージがシステム情報の更新を示さないことを発見できない。このため、UEの電力消費が無駄になるという問題がある。特に、低コストまたは低複雑度のユーザ機器にとって、無駄な電力消費が決定的である。
【発明の概要】
【課題を解決するための手段】
【０００６】
カバレッジが強化されるとき、信頼できる送信を実施するために、ページングメッセージを搬送するデータチャネルを繰り返し送信する必要がある。ページングメッセージを搬送するデータチャネルの送信が、制御チャネルによって実行されるスケジューリングに基づく必要がある場合、UEは、まず、制御チャネルを正常に検出する必要があり、そして、制御チャネルの指示に従って、ページングメッセージを搬送するデータチャネルをさらに検出する。この場合、ページングメッセージを搬送するデータチャネルをUEが正常に受信できるようにするには、制御チャネルを繰り返し送信する必要があり、ページングメッセージを搬送するデータチャネルも繰り返し送信する必要がある。その結果、システムリソースのオーバヘッドが増加し、ネットワークリソース利用率が減少し、UEの検出複雑性および電力消費オーバヘッドが大幅に増加する。
【０００７】
本発明の実施態様は、情報トランスポートブロックをスケジューリングするために制御チャネルが使用されない場合にページングメッセージの送信を完了し、比較的少数のネットワークリソースを占有し、ユーザ機器による検出を容易にするための、ページングメッセージ送信方法、基地局、およびユーザ機器を提供する。
【０００８】
第1の態様によれば、本発明の一実施態様は、ページングメッセージ送信方法を提供し、この方法は、
第1のページングメッセージに含まれる指示情報を決定するステップであって、指示情報は、第1のページングメッセージを受信するように、および／または第2のページングメッセージを受信するようにユーザ機器（UE）に指示するために使用される、ステップと、
指示情報を含む第1のページングメッセージを送信するステップであって、第1のページングメッセージは第1のトランスポートブロックに含まれる、ステップと、
指示情報が第2のページングメッセージを受信するようにユーザ機器に指示する場合に、第2のページングメッセージを送信するステップであって、第2のページングメッセージは第2のトランスポートブロックに含まれ、第2のトランスポートブロックおよび第1のトランスポートブロックは別々に送信される異なるトランスポートブロックである、ステップと
を含む。
【０００９】
第1の態様を参照する、第1の態様の第1の可能な実装では、
第1のページングメッセージはページングUEサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【００１０】
第1の態様の第1の可能な実装を参照する、第1の態様の第2の可能な実装では、
ページングUE IDを形成するページングUEサブIDの数が、予め設定されるかまたはシグナリングによって示される、および／または、
第1のページングメッセージに含まれ、かつページングUE IDに関連付けられるページングUEサブIDの数が、予め設定されるかまたはシグナリングによって示される、および／または、
第2のページングメッセージに含まれ、かつページングUE IDに関連付けられるページングUEサブIDの数が、予め設定されるかまたはシグナリングによって示される。
【００１１】
第1の態様の第1の可能な実装を参照する、第1の態様の第3の可能な実装では、
ページングUE IDを形成するページングUEサブIDの長さは、予め設定されるかまたはシグナリングによって示される、および／または、
第1のページングメッセージに含まれ、かつページングUE IDに関連付けられるページングUEサブIDの長さは、予め設定されるかまたはシグナリングによって示される、および／または、
第2のページングメッセージに含まれ、かつページングUE IDに関連付けられるページングUEサブIDの長さは、予め設定されるかまたはシグナリングによって示される。
【００１２】
第1の態様、または第1の態様の第1、第2、もしくは第3の可能な実装を参照する、第1の態様の第4の可能な実装において、方法は、
事前定義に従って第1のページングメッセージのフォーマットを決定するステップ、または、
第1のページングメッセージのフォーマットを自己決定し、シグナリングまたは暗黙指示を使用して第1のページングメッセージの決定されたフォーマットをピアデバイスに通知するステップ
をさらに含む。
【００１３】
第1の態様の第4の可能な実装を参照する、第1の態様の第5の可能な実装では、シグナリングは、指示情報、システム情報、無線リソース制御シグナリング、メディアアクセス制御シグナリング、または物理層シグナリングのうちの1つまたは複数である。
【００１４】
第1の態様、または第1の態様の第1、第2、第3、第4、もしくは第5の可能な実装を参照する、第1の態様の第6の可能な実装において、指示情報は、システム情報の更新の指示情報、地震津波警報システムの指示情報、商用移動警報サービスの指示情報のうちの1つまたは複数を含む。
【００１５】
第1の態様、または第1の態様の第1、第2、第3、第4、第5、もしくは第6の可能な実装を参照する、第1の態様の第7の可能な実装では、指示情報は、ページングUE IDを示す設定情報を含み、
ページングUE IDの設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【００１６】
第1の態様、または第1の態様の第1、第2、第3、第4、第5、第6、もしくは第7の可能な実装を参照する、第1の態様の第8の可能な実装では、指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【００１７】
第1の態様、または第1の態様の第1、第2、第3、第4、第5、第6、第7、もしくは第8の可能な実装を参照する、第1の態様の第9の可能な実装では、第2のページングメッセージは指示情報を含み、第2のページングメッセージの指示情報は、第2のページングメッセージを示すために、および／または第3のページングメッセージを示すために使用される。
【００１８】
第1の態様、または第1の態様の第1、第2、第3、第4、第5、第6、第7、第8、もしくは第9の可能な実装を参照する、第1の態様の第10の可能な実装では、第1のページングメッセージを送信するために使用される時間リソース情報および／または周波数リソース情報は、いくつかのページングUE IDまたはページングUEサブIDを示すために使用される。
【００１９】
第2の態様によれば、本発明の一実施態様は、ページングメッセージ送信方法をさらに提供し、この方法は、
第1のページングメッセージに含まれる指示情報を取得するステップであって、指示情報は、第1のページングメッセージを受信するように、および／または第2のページングメッセージを受信するように指示するために使用される関連情報である、ステップと、
第1のページングメッセージおよび／または第2のページングメッセージを指示情報に従って決定するステップであって、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである、ステップと
を含む。
【００２０】
第2の態様を参照する、第2の態様の第1の可能な実装では、
第1のページングメッセージはページングユーザ機器（UE）のサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【００２１】
第2の態様の第1の可能な実装を参照する、第2の態様の第2の可能な実装では、
ページングUE IDを形成するページングUEサブIDの数が、予め設定されるかまたはシグナリングによって示される、および／または、
第1のページングメッセージに含まれ、かつページングUE IDに関連付けられるページングUEサブIDの数が、予め設定されるかまたはシグナリングによって示される、および／または、
第2のページングメッセージに含まれ、かつページングUE IDに関連付けられるページングUEサブIDの数が、予め設定されるかまたはシグナリングによって示される。
【００２２】
第2の態様の第1の可能な実装を参照する、第2の態様の第3の可能な実装では、
ページングUE IDを形成するページングUEサブIDの長さは、予め設定されるかまたはシグナリングによって示される、および／または、
第1のページングメッセージに含まれ、かつページングUE IDに関連付けられるページングUEサブIDの長さは、予め設定されるかまたはシグナリングによって示される、および／または、
第2のページングメッセージに含まれ、かつページングUE IDに関連付けられるページングUEサブIDの長さは、予め設定されるかまたはシグナリングによって示される。
【００２３】
第2の態様、または第2の態様の第1、第2、もしくは第3の可能な実装を参照する、第2の態様の第4の可能な実装において、方法は、
事前定義に従って第1のページングメッセージのフォーマットを決定するステップ、
シグナリングを受信し、受信されたシグナリングに従って第1のページングメッセージのフォーマットを決定するステップ、または、
暗黙指示に従って第1のページングメッセージのフォーマットを決定するステップ
をさらに含む。
【００２４】
第2の態様の第4の可能な実装を参照する、第2の態様の第5の可能な実装では、シグナリングは、指示情報、システム情報、無線リソース制御シグナリング、メディアアクセス制御シグナリング、または物理層シグナリングのうちの1つまたは複数である。
【００２５】
第2の態様、または第2の態様の第1、第2、第3、第4、もしくは第5の可能な実装を参照する、第2の態様の第6の可能な実装において、指示情報は、システム情報の更新の指示情報、地震津波警報システムの指示情報、商用移動警報サービスの指示情報のうちの1つまたは複数を含む。
【００２６】
第2の態様、または第2の態様の第1、第2、第3、第4、第5、もしくは第6の可能な実装を参照する、第2の態様の第7の可能な実装では、指示情報は、ページングUE IDを示す設定情報を含み、
ページングUE IDの設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【００２７】
第2の態様、または第2の態様の第1、第2、第3、第4、第5、第6、もしくは第7の可能な実装を参照する、第2の態様の第8の可能な実装では、指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【００２８】
第2の態様、または第2の態様の第1、第2、第3、第4、第5、第6、第7、もしくは第8の可能な実装を参照する、第2の態様の第9の可能な実装では、第1のページングメッセージおよび／または第2のページングメッセージを指示情報に従って決定するステップは、
第1のページングメッセージまたは第1のページングメッセージに含まれる指示情報に従って、第2のページングメッセージのトランスポートブロックサイズ、第2のページングメッセージの構造、または第2のページングメッセージが存在するかどうかのうちの1つまたは複数を決定するステップ
を含む。
【００２９】
第2の態様の第9の可能な実装を参照する、第2の態様の第10の可能な実装では、第1のページングメッセージおよび／または第2のページングメッセージを指示情報に従って決定するステップは、
決定された第1のページングメッセージに一致するページングUEサブIDが存在しない場合、第2のページングメッセージの受信を停止するステップ、または、
第1のページングメッセージに一致するページングUEサブIDが存在する場合、第2のページングメッセージを受信するステップ
を含む。
【００３０】
第2の態様、または第2の態様の第1、第2、第3、第4、第5、第6、第7、第8、第9、もしくは第10の可能な実装を参照する、第2の態様の第11の可能な実装では、第2のページングメッセージは指示情報を含み、第2のページングメッセージの指示情報は、第2のページングメッセージを示すために、および／または第3のページングメッセージを示すために使用される。
【００３１】
第2の態様、または第2の態様の第1、第2、第3、第4、第5、第6、第7、第8、第9、第10、もしくは第11の可能な実装を参照する、第2の態様の第12の可能な実装では、第1のページングメッセージおよび／または第2のページングメッセージを指示情報に従って決定するステップは、
第1のページングメッセージを送信するために使用される時間リソース情報および／または周波数リソース情報を用いていくつかのページングUE IDまたはページングUEサブIDを決定するステップ
を含む。
【００３２】
第3の態様によれば、本発明の一実施態様は、基地局をさらに提供し、この基地局は、
第1のページングメッセージに含まれる指示情報を決定するように構成された決定モジュールであって、指示情報は、第1のページングメッセージを受信するように、および／または第2のページングメッセージを受信するようにユーザ機器（UE）に指示するために使用される、決定モジュールと、
指示情報を含む第1のページングメッセージを送信するように構成された第1の送信モジュールであって、第1のページングメッセージは第1のトランスポートブロックに含まれる、第1の送信モジュールと、
指示情報が第2のページングメッセージを受信するようにユーザ機器に指示する場合に、第2のページングメッセージを送信するように構成された第2の送信モジュールであって、第2のページングメッセージは第2のトランスポートブロックに含まれ、第2のトランスポートブロックおよび第1のトランスポートブロックは別々に送信される異なるトランスポートブロックである、第2の送信モジュールと
を含む。
【００３３】
第3の態様を参照する、第3の態様の第1の可能な実装では、
第1のページングメッセージはページングUEサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【００３４】
第3の態様の第1の可能な実装を参照する、第3の態様の第2の可能な実装では、
ページングUE IDを形成するページングUEサブIDの数が、予め設定されるかまたはシグナリングによって示される、および／または、
第1のページングメッセージに含まれ、かつページングUE IDに関連付けられるページングUEサブIDの数が、予め設定されるかまたはシグナリングによって示される、および／または、
第2のページングメッセージに含まれ、かつページングUE IDに関連付けられるページングUEサブIDの数が、予め設定されるかまたはシグナリングによって示される。
【００３５】
第3の態様の第1の可能な実装を参照する、第3の態様の第3の可能な実装では、
ページングUE IDを形成するページングUEサブIDの長さは、予め設定されるかまたはシグナリングによって示される、および／または、
第1のページングメッセージに含まれ、かつページングUE IDに関連付けられるページングUEサブIDの長さは、予め設定されるかまたはシグナリングによって示される、および／または、
第2のページングメッセージに含まれ、かつページングUE IDに関連付けられるページングUEサブIDの長さは、予め設定されるかまたはシグナリングによって示される。
【００３６】
第3の態様、または第3の態様の第1、第2、もしくは第3の可能な実装を参照する、第3の態様の第4の可能な実装において、決定モジュールは、事前定義に従って第1のページングメッセージのフォーマットを決定するように、または、第1のページングメッセージのフォーマットを自己決定するように構成され、第1の送信モジュールは、シグナリングまたは暗黙指示を使用して第1のページングメッセージの決定されたフォーマットをピアデバイスに通知する。
【００３７】
第3の態様の第4の可能な実装を参照する、第3の態様の第5の可能な実装では、シグナリングは、指示情報、システム情報、無線リソース制御シグナリング、メディアアクセス制御シグナリング、または物理層シグナリングのうちの1つまたは複数である。
【００３８】
第3の態様、または第3の態様の第1、第2、第3、第4、もしくは第5の可能な実装を参照する、第3の態様の第6の可能な実装において、指示情報は、システム情報の更新の指示情報、地震津波警報システムの指示情報、商用移動警報サービスの指示情報のうちの1つまたは複数を含む。
【００３９】
第3の態様、または第3の態様の第1、第2、第3、第4、第5、もしくは第6の可能な実装を参照する、第3の態様の第7の可能な実装では、指示情報は、ページングUE IDを示す設定情報を含み、
ページングUE IDの設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【００４０】
第3の態様、または第3の態様の第1、第2、第3、第4、第5、第6、もしくは第7の可能な実装を参照する、第3の態様の第8の可能な実装では、指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【００４１】
第3の態様、または第3の態様の第1、第2、第3、第4、第5、第6、第7、もしくは第8の可能な実装を参照する、第3の態様の第9の可能な実装では、第2のページングメッセージは指示情報を含み、第2のページングメッセージの指示情報は、第2のページングメッセージを示すために、および／または第3のページングメッセージを示すために使用される。
【００４２】
第3の態様、または第3の態様の第1、第2、第3、第4、第5、第6、第7、第8、もしくは第9の可能な実装を参照する、第3の態様の第10の可能な実装では、第1のページングメッセージを送信するために使用される時間リソース情報および／または周波数リソース情報は、いくつかのページングUE IDまたはページングUEサブIDを示すために使用される。
【００４３】
第4の態様によれば、本発明の一実施態様は、ユーザ機器をさらに提供し、このユーザ機器は、
第1のページングメッセージに含まれる指示情報を取得するように構成された取得モジュールであって、指示情報は、第1のページングメッセージを受信するように、および／または第2のページングメッセージを受信するように指示するために使用される関連情報である、取得モジュールと、
第1のページングメッセージおよび／または第2のページングメッセージを指示情報に従って決定するように構成された決定モジュールであって、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである、決定モジュールと
を含む。
【００４４】
第2の態様を参照する、第2の態様の第1の可能な実装では、
第1のページングメッセージはページングユーザ機器（UE）のサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【００４５】
第2の態様の第1の可能な実装を参照する、第2の態様の第2の可能な実装では、
ページングUE IDを形成するページングUEサブIDの数が、予め設定されるかまたはシグナリングによって示される、および／または、
第1のページングメッセージに含まれ、かつページングUE IDに関連付けられるページングUEサブIDの数が、予め設定されるかまたはシグナリングによって示される、および／または、
第2のページングメッセージに含まれ、かつページングUE IDに関連付けられるページングUEサブIDの数が、予め設定されるかまたはシグナリングによって示される。
【００４６】
第2の態様の第1の可能な実装を参照する、第2の態様の第3の可能な実装では、
ページングUE IDを形成するページングUEサブIDの長さは、予め設定されるかまたはシグナリングによって示される、および／または、
第1のページングメッセージに含まれ、かつページングUE IDに関連付けられるページングUEサブIDの長さは、予め設定されるかまたはシグナリングによって示される、および／または、
第2のページングメッセージに含まれ、かつページングUE IDに関連付けられるページングUEサブIDの長さは、予め設定されるかまたはシグナリングによって示される。
【００４７】
第2の態様、または第2の態様の第1、第2、もしくは第3の可能な実装を参照する、第2の態様の第4の可能な実装において、決定モジュールは、事前定義に従って第1のページングメッセージのフォーマットを決定するように、または、シグナリングを受信し、受信されたシグナリングに従って第1のページングメッセージのフォーマットを決定するように、または、暗黙指示に従って第1のページングメッセージのフォーマットを決定するようにさらに構成される。
【００４８】
第2の態様の第4の可能な実装を参照する、第2の態様の第5の可能な実装では、シグナリングは、指示情報、システム情報、無線リソース制御シグナリング、メディアアクセス制御シグナリング、または物理層シグナリングのうちの1つまたは複数である。
【００４９】
第2の態様、または第2の態様の第1、第2、第3、第4、もしくは第5の可能な実装を参照する、第2の態様の第6の可能な実装において、指示情報は、システム情報の更新の指示情報、地震津波警報システムの指示情報、商用移動警報サービスの指示情報のうちの1つまたは複数を含む。
【００５０】
第2の態様、または第2の態様の第1、第2、第3、第4、第5、もしくは第6の可能な実装を参照する、第2の態様の第7の可能な実装では、指示情報は、ページングUE IDを示す設定情報を含み、
ページングUE IDの設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【００５１】
第2の態様、または第2の態様の第1、第2、第3、第4、第5、第6、もしくは第7の可能な実装を参照する、第2の態様の第8の可能な実装では、指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【００５２】
第2の態様、または第2の態様の第1、第2、第3、第4、第5、第6、第7、もしくは第8の可能な実装を参照する、第2の態様の第9の可能な実装では、決定モジュールは、具体的には、第1のページングメッセージまたは第1のページングメッセージに含まれる指示情報に従って、第2のページングメッセージのトランスポートブロックサイズ、第2のページングメッセージの構造、または第2のページングメッセージが存在するかどうかのうちの1つまたは複数を決定するように構成される。
【００５３】
第2の態様の第9の可能な実装を参照する、第2の態様の第10の可能な実装では、取得モジュールは、具体的には、決定された第1のページングメッセージに一致するページングUEサブIDが存在しない場合、第2のページングメッセージの受信を停止するように、または、第1のページングメッセージに一致するページングUEサブIDが存在する場合、第2のページングメッセージを受信するように構成される。
【００５４】
第2の態様、または第2の態様の第1、第2、第3、第4、第5、第6、第7、第8、第9、もしくは第10の可能な実装を参照する、第2の態様の第11の可能な実装では、第2のページングメッセージは指示情報を含み、第2のページングメッセージの指示情報は、第2のページングメッセージを示すために、および／または第3のページングメッセージを示すために使用される。
【００５５】
第2の態様、または第2の態様の第1、第2、第3、第4、第5、第6、第7、第8、第9、第10、もしくは第11の可能な実装を参照する、第2の態様の第12の可能な実装では、決定モジュールは、具体的には、第1のページングメッセージを送信するために使用される時間リソース情報および／または周波数リソース情報を用いていくつかのページングUE IDまたはページングUEサブIDを決定するように構成される。
【００５６】
上述の技術的解決策から、本発明の実施態様は以下の利点を有することが分かる。
【００５７】
本発明の実施形態では、第1のページングメッセージに含まれる指示情報がまず決定され、この指示情報を使用して、第1のページングメッセージを受信するように、および／または第2のページングメッセージを受信するようにユーザ機器（UE）に指示し、指示情報を含む第1のページングメッセージが送信され、第1のページングメッセージは第1のトランスポートブロックに含まれ、この指示情報が第2のページングメッセージを受信するようにユーザ機器に指示する場合に、第2のページングメッセージが送信され、第2のページングメッセージは第2のトランスポートブロックに含まれ、第2のトランスポートブロックおよび第1のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【図面の簡単な説明】
【００５８】
【図１】本発明によるページングメッセージ送信方法が適用される通信システムのシステムアーキテクチャ図である。
【図２】本発明の一実施形態によるページングメッセージ送信方法の手順を示す概略ブロック図である。
【図３】本発明の一実施形態による別のページングメッセージ送信方法の手順の概略ブロック図である。
【図４−ａ】本発明の一実施形態によるページングメッセージの構成図である。
【図４−ｂ】本発明の一実施形態による別のページングメッセージの構成図である。
【図４−ｃ】本発明の一実施形態によるS-TMSIの指示の概略図である。
【図５】本発明の一実施形態による基地局の概略構成図である。
【図６】本発明の一実施形態によるユーザ機器の概略構成図である。
【図７】本発明の一実施形態による別の基地局の概略構成図である。
【図８】本発明の一実施形態による別のユーザ機器の概略構成図である。
【発明を実施するための形態】
【００５９】
本発明の実施形態は、情報トランスポートブロックをスケジューリングするために制御チャネルが使用されない場合にページングメッセージの送信を完了し、比較的少数のネットワークリソースを占有し、ユーザ機器による検出を容易にするための、ページングメッセージ送信方法、基地局、およびユーザ機器を提供する。
【００６０】
本発明の目的、特徴、および利点をより明確により理解しやすくするために、本発明の実施形態における技術的解決策を、本発明の実施形態における添付の図面を参照して、より明確かつ十分に以下に説明する。当然ながら、以下に記載される実施形態は、本発明の実施形態のすべてではなく、一部に過ぎない。本発明の実施形態に基づいて当業者によって得られる他のすべての実施形態は、本発明の保護範囲内に含まれるものとする。
【００６１】
本発明の明細書、特許請求の範囲、および添付図面において、「第1」、「第2」等の用語は類似のオブジェクトを区別することを意図しているが、必ずしも特定の順序または配列を示すものではない。そのような方法で使用される用語は、適切な状況において交換可能であり、これは、同じ属性を有するオブジェクトが本発明の実施形態に記載される場合に使用される単なる識別方法であることを理解されたい。さらに、用語「含む（include，contain）」および任意の他の変形は、非排他的な包含をカバーすることを意味するため、一連のユニットを含むプロセス、方法、システム、製品、またはデバイスが、それらのユニットに必ずしも限定されないが、そのようなプロセス、方法、システム、製品、またはデバイスに明確に列挙されていないまたは固有でない他のユニットを含むことができる。
【００６２】
まず、本発明におけるページングメッセージ送信方法が適用されるシステムアーキテクチャについて簡単に説明する。本発明は、主として、LTEシステムまたはロングタームエボリューションアドバンスト（LTE-A、LTE Advanced）システムに適用される。また、本発明は、通信システムにおいて情報を送信することができるエンティティが存在し、通信システムにおいて情報を受信することができる別のエンティティが存在するという条件の下に、例えば、広帯域符号分割多元接続（Wideband Code Division Multiple Access、WCDMA（登録商標））や時分割同期符号分割多重アクセス（Time Division-Synchronous Code Division Multiple Access、TD-SCDMA）システムである別の通信システムに適用されてもよい。例えば、情報はページング（Paging）メッセージである。
【００６３】
図1を参照すると、図1は、本発明によるページングメッセージ送信方法が適用される通信システムのシステムアーキテクチャ図である。図1に示すように、基地局（Base station）とユーザ機器（UE、User Equipment）1〜UE6は通信システムを形成する。通信システムでは、ユーザ機器は端末と呼ばれることがあり、基地局はRARメッセージをUE1〜UE6の1つまたは複数に送信する。基地局は、本発明のページングメッセージ送信方法における送信側デバイスであり、UE1〜UE6は、本発明のページングメッセージ送信方法における受信側デバイスである。また、UE4〜UE6も通信システムを形成する。通信システムでは、UE5は基地局の機能として実装されてもよく、UE5はRARメッセージをUE4〜UE6の1つまたは複数に送信してもよい。
【００６４】
以下では、個別に詳細を説明する。
【００６５】
本発明におけるページングメッセージ送信方法の実施形態を、基地局によるページングメッセージ送信に適用することができる。図2を参照すると、ページングメッセージ送信方法は、以下のステップを含むことができる。
【００６６】
201．第1のページングメッセージに含まれる指示情報を決定し、指示情報は、第1のページングメッセージを受信する、および／または第2のページングメッセージを受信するようにユーザ機器（UE）に指示するために使用される。
【００６７】
本発明のこの実施形態では、アイドル状態にあるUEは、ページングメッセージをリスンし、ネットワーク側または基地局がUEをページングするかどうかを決定する必要がある。接続状態にあるUEは、システム情報が更新されているかどうかを決定するためにページングメッセージをリスンする必要がある。基地局によってUEに送信されるページングメッセージは、データチャネル上で搬送される。基地局は、制御チャネルを使用してスケジューリングを実行するのではなく、ページングメッセージに指示情報を追加する。ページングメッセージを送信するために基地局によって使用されるトランスポートブロックは、指示情報によって示されてもよく、UEは制御チャネルを検出する必要がなくなり、UEの電力消費が低減される。
【００６８】
本発明のこの実施形態では、第1のページングメッセージをUEに送信するとき、基地局は第1のページングメッセージに指示情報を追加する必要がある。指示情報は、第1のページングメッセージおよび／または第2のページングメッセージを受信するようにUEに指示するために使用される。基地局によって決定される指示情報は、UEがページングメッセージを受信するかどうか、およびどのページングメッセージが受信されるべきかを示す。
【００６９】
202．指示情報を含む第1のページングメッセージを送信し、第1のページングメッセージは第1のトランスポートブロックに含まれる。
【００７０】
本発明のこの実施形態では、基地局は、第1のページングメッセージに含まれる指示情報を決定し、基地局は、指示情報を含む第1のページングメッセージを送信する。具体的には、基地局は、第1のトランスポートブロックを使用して第1のページングメッセージを送信することができる。この場合、端末はまず指示情報を取得し、端末は指示情報に従って第1のページングメッセージの受信を完了する。さらに、指示情報が第2のページングメッセージを示す場合、端末は第2のページングメッセージをさらに受信することができる。
【００７１】
203．指示情報が第2のページングメッセージを受信するようにユーザ機器に指示する場合に第2のページングメッセージを送信し、第2のページングメッセージは第2のトランスポートブロックに含まれ、第2のトランスポートブロックおよび第1のトランスポートブロックは別々に送信される異なるトランスポートブロックである。
【００７２】
本発明のこの実施形態では、基地局が第1のページングメッセージを送信した後、基地局が第2のページングメッセージをさらに生成する場合、基地局は、第2のページングメッセージも存在することを指示情報に示すことができ、基地局は、第2のトランスポートブロックを用いて第2のページングメッセージを送信する。なお、第2のトランスポートブロックと第1のトランスポートブロックは、別々に送信される2つのトランスポートブロックであることに留意されたい。基地局は、最初に第1のトランスポートブロックを送信した後、第2のトランスポートブロックを送信する。各トランスポートブロックは別々に送信され、すなわち、2つのトランスポートブロックのいずれかが別々にピアデバイス（すなわち、UE）に送信される。トランスポートブロックの別個の送信は、ピアデバイスがトランスポートブロックを1つずつ受信することを可能にすることができる。異なるトランスポートブロックで搬送されるページングメッセージは異なる。異なるトランスポートブロックを別々に送信することができる。例えば、符号化および／またはレートマッチング、ならびにマッピングは、異なるトランスポートブロックに対して別々に実行される。
【００７３】
ページングメッセージを検出するためにUEによって使用される電力消費を低減するために、基地局は、ページングされる必要があるUEのアイデンティティ（ID、Identity）を、実装のために2つ以上のページングUEサブIDに分割することができる。第1のページングメッセージはページングユーザ機器サブアイデンティティ（ID）を含み、同じUEに対応する複数のサブIDがページングUE IDを形成し、ページングUEサブIDがページングUE IDのいくつかの情報を含み、および／または第2のページングメッセージは、ページングUE IDを形成する別のページングUEサブIDを含む。すなわち、ページングUE IDは、2つのページングUEサブIDに分割され、各ページングUEサブIDはページングUE IDのいくつかの情報を含み、分割手段によって得られた2つのページングUEサブIDは、それぞれ、第1のページングメッセージおよび第2のページングメッセージで搬送される。この実装と同様に、別の実装では、ページングUE IDが3つのページングUEサブIDに分割され、2つのページングUEサブIDが第1のページングメッセージで搬送され、他のページングUEサブIDが第2のページングメッセージで搬送されてもよい。同様に、ページングUE IDは、代わりに、4つのページングUEサブIDに分割されてもよく、2つのページングUE IDが第1のページングメッセージで搬送され、他の2つのページングUE IDが第2のページングメッセージで搬送される。
【００７４】
本発明の他の実施形態では、
ページングUE IDを形成するページングUEサブIDの数が、予め設定されるかまたはシグナリングによって示される、および／または、
第1のページングメッセージに含まれ、ページングUE IDに関連するページングUEサブIDの数が、予め設定されるかまたはシグナリングによって示される、および／または、
第2のページングメッセージに含まれ、ページングUE IDに関連するページングUEサブIDの数が、予め設定されるかまたはシグナリングによって示される
方法のうちの1つでページングUEサブIDの数が決定され得る。
【００７５】
ページングUE IDから分割されるサブIDの数は、予め設定されるかまたはシグナリングによって示されてもよい。例えば、基地局は、ページングUEサブIDの数を事前定義に従って最初に決定し、ページングUEサブIDの数は、システムによって指定されてもよく、例えば、MMEによって指定されるように基地局の上位デバイスによって指定されてもよい。基地局と端末の両方が、事前定義に従ってページングUEサブIDの数を決定する。別の例では、基地局は、まず、シグナリングがシステムまたはMMEのようなエンティティから発信されるシグナリングを受信する。基地局は、受信されたシグナリングに従ってページングUEサブIDの数を決定する。さらに、ページングUE IDを形成するすべてのサブIDについて、ページングUE IDから分割されたサブIDの数が決定された後、第1のページングメッセージで搬送されたサブIDの数および第2のページングメッセージで搬送されたサブIDの数は、予め設定されるかまたはシグナリングによって示されてもよい。例えば、ページングメッセージで搬送されるサブIDの数は、システムによって予め設定されてもよく、またはシステムから受信されたシグナリングを用いて基地局によって決定されてもよい。例えば、zは、ページングUE IDのすべてのサブIDの数を示し、xは、第1のページングメッセージで搬送されるページングUEサブIDの数を示し、yは、第2のページングメッセージで搬送されるページングUEサブIDの数を示す。この場合、z＝x＋yであり、ここで、zの値は不変であり、xとyの値は予め設定されるかまたはシグナリングによって示されてもよい。
【００７６】
本発明の他の実施形態では、
ページングUE IDを形成するページングUEサブIDの長さが、予め設定されるかまたはシグナリングによって示される、および／または、
第1のページングメッセージに含まれ、ページングUE IDに関連するページングUEサブIDの長さが、予め設定されるかまたはシグナリングによって示される、および／または、
第2のページングメッセージに含まれ、ページングUE IDに関連するページングUEサブIDの長さが、予め設定されるかまたはシグナリングによって示される
方法のうちの1つでページングUEサブIDの長さが決定され得る。
【００７７】
ページングUE IDから分割されたサブIDの長さは、予め設定されるかまたはシグナリングによって示されてもよい。例えば、基地局は、ページングUEサブIDの長さを事前定義に従って最初に決定し、ページングUEサブIDの長さは、システムによって指定されてもよく、例えば、MMEによって指定されるように基地局の上位デバイスによって指定されてもよい。基地局と端末の両方が、事前定義に従ってページングUEサブIDの長さを決定する。別の例では、基地局は、まず、システムまたはMMEのようなエンティティから発信されるシグナリングを受信する。基地局は、受信されたシグナリングに従ってページングUEサブIDの長さを決定する。さらに、ページングUE IDを形成するすべてのサブIDについて、第1のページングメッセージで所与の長さのどのサブIDが搬送され、第2のページングメッセージで所与の長さのどのサブIDが搬送されるかは、予め設定されるかまたはシグナリングによって示されてもよい。例えば、所与の長さのどのサブIDがページングメッセージで搬送されるかは、システムによって予め設定されてもよく、またはシステムから受信されたシグナリングを用いて基地局によって決定されてもよい。
【００７８】
本発明の他の実施形態では、ステップ202において基地局によって送信される第1のページングメッセージのフォーマットは、以下の方法のうちの1つで決定されてもよい。具体的には、本発明のこの実施形態で提供されるページングメッセージ送信方法は、
A1：事前定義に従って第1のページングメッセージのフォーマットを決定するステップ、または
A2：第1のページングメッセージのフォーマットを自己決定し、シグナリングまたは暗黙指示を使用して、第1のページングメッセージの決定されたフォーマットをピアデバイスに通知するステップ
のうちの1つをさらに含んでもよい。
【００７９】
基地局が第1のページングメッセージのフォーマットを決定する必要がある場合、基地局は、ステップA1およびA2のいずれかの方法で第1のページングメッセージのフォーマットを決定してもよい。例えば、基地局は、まず、事前定義に従って最初のページングメッセージのフォーマットを決定する。第1のページングメッセージのフォーマットは、システムによって指定されてもよく、例えば、MMEによって指定されるように基地局の上位デバイスによって指定されてもよい。基地局と端末の両方が、事前定義に従って第1のページングメッセージのフォーマットを決定する。別の例として、基地局は、第1のページングメッセージのフォーマットをそれ自身で設定し、第1のページングメッセージのフォーマットを自己決定した後に、ピアデバイス（例えば、端末）に通知してもよい。第1のページングメッセージの自己決定フォーマットは、基地局自体の要求を満たすことができる。第1のページングメッセージのフォーマットは、基地局自体のリソース送信状態に従って決定されてもよい。例えば、基地局は、帯域幅に従って第1のページングメッセージのフォーマットを決定してもよく、基地局が現在アイドル状態にあるかビジー状態にあるかに従って第1のページングメッセージのフォーマットを決定してもよい。
【００８０】
さらに、ステップA2の実装シナリオでは、基地局によって送信されるシグナリングは、第1のページングメッセージ、システム情報、無線リソース制御シグナリング、メディアアクセス制御シグナリング、または物理層シグナリングで搬送される1つまたは複数の指示情報であってもよい。言い換えれば、ステップA2において、基地局が使用するピアデバイスに通知するシグナリングは、指示情報またはシステム情報であってもよく、あるいはシグナリングは、具体的には、無線リソース制御シグナリング、メディアアクセス制御シグナリング、または物理層シグナリングであってもよい。使用のための特定のシグナリングフォーマットは、アプリケーションシナリオに従って決定されてもよく、本明細書に限定されない。
【００８１】
本発明のいくつかの実施形態では、第1のページングメッセージで搬送される指示情報は、システム情報の更新の指示情報、地震津波警報システム（etws：Earthquake and Tsunami Warning System）の指示情報、または商用移動警報サービス（CMAS：Commercial Mobile Alert Service）の指示情報のうちの1つまたは複数を含む。使用のための特定のシグナリングフォーマットは、アプリケーションシナリオに従って決定されてもよく、本明細書に限定されない。
【００８２】
本発明のいくつかの実施形態では、ページングメッセージ内のページングUE IDの設定方法をさらに示すことができ、すなわち、指示情報は、ページングUE IDを示す設定情報を含む。ページングUE IDの設定情報は、ページングUE IDタイプが国際移動体加入者識別番号（IMSI、International Mobile Subscriber Identity）であるIDの数量指示情報、ページングUE IDタイプが一時的な移動加入者識別番号（S-TMSI、SAE Temporary Mobile Station Identifier）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【００８３】
本発明のいくつかの実施形態では、指示情報は、第2のページングメッセージをさらに示すことができる。具体的には、第1のページングメッセージに含まれる指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【００８４】
本発明の他の実施形態では、第1のページングメッセージは指示情報を含み、第2のページングメッセージもまた指示情報を含むことができる。第2のページングメッセージ内の指示情報は、第2のページングメッセージを示すために、および／または第3のページングメッセージを示すために使用される。すなわち、基地局が第2のページングメッセージおよび第3のページングメッセージを生成する場合、第2のページングメッセージに指示情報を追加することができ、指示情報は第3のページングメッセージを示すために使用される。ここでの指示情報の構造および内容は、第1のページングメッセージで搬送される指示情報の構造および内容と同様であってもよく、前述の実施形態における指示情報の記述を参照することができる。詳細はここでは再度説明しない。
【００８５】
本発明のいくつかの実施形態では、第1のページングメッセージに含まれるページングUE IDは、第1のページングメッセージで搬送される他の情報によって示されてもよい。例えば、第1のページングメッセージを送信するために使用される時間リソース情報および／または周波数リソース情報は、いくつかのページングUE IDまたはページングUEサブIDを示すために使用されてもよい。例えば、ページングUE IDは、3つのサブIDを含んでもよい。第1のサブIDは、第1のページングメッセージを送信するために使用される時間リソース情報および／または周波数リソース情報によって示されてもよく、第2のサブIDおよび第3のサブIDは、第1のページングメッセージおよび第2のページングメッセージの指示情報でそれぞれ搬送されてもよい。この方法によれば、ページングメッセージのオーバヘッドを低減することができるので、システムリソースの利用効率が向上し、ページングメッセージを検出するためにUEによって消費される電力消費が低減される。言い換えれば、UEは、時間リソース情報および周波数リソース情報を解析していくつかのページングUE IDを取得することができ、UEはさらにページングUE IDを決定する必要がないので、UEの電力消費が低減される。
【００８６】
前述の本発明の実施形態の説明から分かるように、第1のページングメッセージに含まれる指示情報がまず決定され、この指示情報を使用して、第1のページングメッセージを受信する、および／または第2のページングメッセージを受信するようにユーザ機器（UE）に指示し、指示情報を含む第1のページングメッセージが送信され、第1のページングメッセージは第1のトランスポートブロックに含まれ、この指示情報が第2のページングメッセージを受信するようにユーザ機器に指示する場合に、第2のページングメッセージが送信され、第2のページングメッセージは第2のトランスポートブロックに含まれ、第2のトランスポートブロックおよび第1のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【００８７】
上記実施形態では、ページングメッセージ送信方法は基地局側の観点から説明されている。以下では、本発明のページングメッセージ送信方法を基地局のピアデバイス（端末）の観点から説明する。図3を参照すると、本発明の別の実施形態によるページングメッセージ送信方法は、以下のステップを含むことができる。
【００８８】
301．第1のページングメッセージに含まれる指示情報を取得し、指示情報は、第1のページングメッセージを受信する、および／または第2のページングメッセージを受信するように指示するために使用される関連情報である。
【００８９】
本発明のこの実施形態では、アイドル状態にあるUEは、ページングメッセージをリスンし、ネットワーク側または基地局がUEをページングするかどうかを決定する必要がある。接続状態にあるUEは、システム情報が更新されているかどうかを決定するためにページングメッセージをリスンする必要がある。基地局によってUEに送信されるページングメッセージは、データチャネル上で搬送される。基地局は、制御チャネルを使用してスケジューリングを実行するのではなく、ページングメッセージに指示情報を追加する。ページングメッセージを送信するために基地局によって使用されるトランスポートブロックは、指示情報によって示されてもよく、UEは制御チャネルを検出する必要がなくなり、UEの電力消費が低減される。
【００９０】
本発明のこの実施形態では、第1のページングメッセージをUEに送信するとき、基地局は第1のページングメッセージに指示情報を追加する必要がある。指示情報は、第1のページングメッセージおよび／または第2のページングメッセージを受信するようにUEに指示するために使用される。したがって、UEは、第1のページングメッセージに含まれる指示情報を最初に取得する必要があり、UEは、指示情報に従って、ページングメッセージを受信するかどうか、およびどのページングメッセージを受信するかを決定する。基地局は制御チャネルを使用してトランスポートブロックをスケジューリングせず、基地局によって端末に送信されたページングメッセージのための指示は、指示情報を解析することでUEによって取得される。
【００９１】
302．第1のページングメッセージおよび／または第2のページングメッセージを指示情報に従って決定し、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。
【００９２】
本発明のこの実施形態では、UEが第1のページングメッセージに含まれる指示情報を決定した後に、UEは指示情報に従って第1のページングメッセージを受信する。UEは、第1のトランスポートブロックから第1のページングメッセージを取得し、指示情報が第2のページングメッセージを示す場合、UEは、第2のページングメッセージを第2のトランスポートブロックからさらに取得することができる。なお、第2のトランスポートブロックと第1のトランスポートブロックは、別々に送信される2つのトランスポートブロックであることに留意されたい。基地局は、最初に第1のトランスポートブロックを送信した後、第2のトランスポートブロックを送信する。各トランスポートブロックは別々に送信され、すなわち、2つのトランスポートブロックのいずれかがピアデバイス（すなわち、UE）に別々に送信される。トランスポートブロックの別個の送信は、ピアデバイスがトランスポートブロックを1つずつ受信することを可能にすることができる。異なるトランスポートブロックで搬送されるページングメッセージは異なる。異なるトランスポートブロックを別々に送信することができる。例えば、復号および／またはレートマッチング、ならびにマッピングは、異なるトランスポートブロックに対して別々に実行される。
【００９３】
ページングメッセージを検出するためにUEによって使用される電力消費を低減するために、基地局は、ページングされる必要があるUEのアイデンティティ（ID、Identity）を、実装のために2つ以上のページングUEサブIDに分割することができる。第1のページングメッセージはページングユーザ機器サブアイデンティティ（ID）を含み、同じUEに対応する複数のサブIDがページングUE IDを形成し、ページングUEサブIDがページングUE IDのいくつかの情報を含み、および／または第2のページングメッセージは、ページングUE IDを形成する別のページングUEサブIDを含む。すなわち、ページングUE IDは、2つのページングUEサブIDに分割され、各ページングUEサブIDはページングUE IDのいくつかの情報を含み、分割手段によって得られた2つのページングUEサブIDは、それぞれ、第1のページングメッセージおよび第2のページングメッセージで搬送される。この実装と同様に、別の実装では、ページングUE IDが3つのページングUEサブIDに分割され、2つのページングUE IDが第1のページングメッセージで搬送され、他のページングUEサブIDが第2のページングメッセージで搬送されてもよい。同様に、ページングUE IDは、代わりに、4つのページングUEサブIDに分割されてもよく、2つのページングUE IDが第1のページングメッセージで搬送され、他の2つのページングUE IDが第2のページングメッセージで搬送される。
【００９４】
本発明の他の実施形態では、
ページングUE IDを形成するページングUEサブIDの数が、予め設定されるかまたはシグナリングによって示される、および／または、
第1のページングメッセージに含まれ、ページングUE IDに関連するページングUEサブIDの数が、予め設定されるかまたはシグナリングによって示される、および／または、
第2のページングメッセージに含まれ、ページングUE IDに関連するページングUEサブIDの数が、予め設定されるかまたはシグナリングによって示される
方法のうちの1つでページングUEサブIDの数が決定され得る。
【００９５】
ページングUE IDから分割されるサブIDの数は、予め設定されるかまたはシグナリングによって示されてもよい。例えば、UEは、ページングUEサブIDの数を事前定義に従って最初に決定し、ページングUEサブIDの数は、システムによって指定されてもよく、例えば、MMEによって指定されるように基地局の上位デバイスによって指定されてもよい。UEは、事前定義に従ってページングUEサブIDの数を決定する。別の例では、UEはまずシグナリングを受信し、シグナリングは基地局、システム、MMEなどから発信される。UEは、受信されたシグナリングに従ってページングUEサブIDの数を決定する。さらに、ページングUE IDを形成するすべてのサブIDについて、ページングUE IDから分割されたサブIDの数が決定された後、第1のページングメッセージで搬送されたサブIDの数および第2のページングメッセージで搬送されたサブIDの数は、予め設定されるかまたはシグナリングによって示されてもよい。例えば、ページングメッセージで搬送されるサブIDの数は、システムによって予め設定されてもよく、または基地局から受信されたシグナリングを用いてUEによって決定されてもよい。例えば、zは、ページングUE IDのすべてのサブIDの数を示し、xは、第1のページングメッセージで搬送されるページングUEサブIDの数を示し、yは、第2のページングメッセージで搬送されるページングUEサブIDの数を示す。この場合、z＝x＋yであり、ここで、zの値は不変であり、xとyの値は予め設定されるかまたはシグナリングによって示されてもよい。
【００９６】
本発明の他の実施形態では、
ページングUE IDを形成するページングUEサブIDの長さが、予め設定されるかまたはシグナリングによって示される、および／または、
第1のページングメッセージに含まれ、ページングUE IDに関連するページングUEサブIDの長さが、予め設定されるかまたはシグナリングによって示される、および／または、
第2のページングメッセージに含まれ、ページングUE IDに関連するページングUEサブIDの長さが、予め設定されるかまたはシグナリングによって示される
方法のうちの1つでページングUEサブIDの長さが決定され得る。
【００９７】
ページングUE IDから分割されたサブIDの長さは、予め設定されるかまたはシグナリングによって示されてもよい。例えば、UEは、まず、事前定義に従ってページングUEサブIDの長さを決定し、ページングUEサブIDの長さは、システムによって指定されてもよく、基地局の上位デバイスによって指定されてもよく、または基地局からのシグナリングによって示されてもよい。UEは、事前定義に従ってページングUEサブIDの長さを決定する。別の例では、UEはまずシグナリングを受信し、シグナリングは基地局から発信される。UEは、受信されたシグナリングに従ってページングUEサブIDの長さを決定する。さらに、ページングUE IDを形成するすべてのサブIDについて、第1のページングメッセージで所与の長さのどのサブIDが搬送され、第2のページングメッセージで所与の長さのどのサブIDが搬送されるかは、予め設定されるかまたはシグナリングによって示されてもよい。例えば、所与の長さのどのサブIDがページングメッセージで搬送されるかは、システムによって予め設定されてもよく、または基地局から受信されたシグナリングを用いてUEによって決定されてもよい。
【００９８】
本発明の他の実施形態では、ステップ302における指示情報に従ってUEによって決定された第1のページングメッセージのフォーマットは、以下の方法のうちの1つで決定されてもよい。具体的には、本発明のこの実施形態で提供されるページングメッセージ送信方法は、
B1：事前定義に従って第1のページングメッセージのフォーマットを決定するステップ、または
B2：シグナリングを受信し、受信されたシグナリングに従って第1のページングメッセージのフォーマットを決定するステップ、または
B3：暗黙指示に従って第1のページングメッセージのフォーマットを決定するステップ
のうちの1つをさらに含んでもよい。
【００９９】
UEが第1のページングメッセージのフォーマットを決定する必要がある場合、UEは、ステップB1、B2、およびB3のいずれかの方法で第1のページングメッセージのフォーマットを決定することができる。例えば、UEは、最初に、事前定義に従って第1のページングメッセージのフォーマットを決定する。第1のページングメッセージのフォーマットは、システムによって指定されてもよく、例えば、MMEによって指定されるように基地局の上位デバイスによって指定されてもよい。UEは、事前定義に従って第1のページングメッセージのフォーマットを決定する。別の例では、UEは、基地局によって送信されたシグナリングを受信する。基地局は、第1のページングメッセージのフォーマットを自己決定し、第1のページングメッセージのフォーマットを自己決定した後に、ピアデバイス（例えば、端末）に通知する。第1のページングメッセージの自己決定フォーマットは、基地局自体の要求を満たすことができる。第1のページングメッセージのフォーマットは、基地局自体のリソース送信状態に従って決定されてもよい。さらに別の例では、UEは、暗黙指示に従って第1のページングメッセージのフォーマットを取得することができる。例えば、UEは、既存の情報で使用される新しいフィールドから第1のページングメッセージのフォーマットを決定する。
【０１００】
さらに、ステップB2の実装シナリオでは、基地局によって送信されるシグナリングは、第1のページングメッセージ、システム情報、無線リソース制御シグナリング、メディアアクセス制御シグナリング、または物理層シグナリングで搬送される1つまたは複数の指示情報であってもよい。言い換えれば、ステップB2において、基地局が使用するピアデバイスに通知するシグナリングは、指示情報またはシステム情報であってもよく、あるいはシグナリングは、具体的には、無線リソース制御シグナリング、メディアアクセス制御シグナリング、または物理層シグナリングであってもよい。使用のための特定のシグナリングフォーマットは、アプリケーションシナリオに従って決定されてもよく、本明細書に限定されない。
【０１０１】
本発明のいくつかの実施形態では、第1のページングメッセージで搬送される指示情報は、システム情報の更新の指示情報、地震津波警報システム（etws：Earthquake and Tsunami Warning System）の指示情報、または商用移動警報サービス（CMAS：Commercial Mobile Alert Service）の指示情報のうちの1つまたは複数を含む。使用のための特定のシグナリングフォーマットは、アプリケーションシナリオに従って決定されてもよく、本明細書に限定されない。
【０１０２】
本発明のいくつかの実施形態では、指示情報は、ページングメッセージ内のページングUE IDの設定方法をさらに示すことができ、すなわち、指示情報は、ページングUE IDを示す設定情報を含む。ページングUE ID設定情報は、ページングUE IDタイプがIMSIであるIDの数量指示情報、ページングUE IDタイプがS-TMSIであるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【０１０３】
本発明のいくつかの実施形態では、指示情報は、第2のページングメッセージをさらに示すことができる。具体的には、第1のページングメッセージに含まれる指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【０１０４】
本発明の他の実施形態では、第1のページングメッセージは指示情報を含み、第2のページングメッセージもまた指示情報を含むことができる。第2のページングメッセージ内の指示情報は、第2のページングメッセージを示すために、および／または第3のページングメッセージを示すために使用される。すなわち、基地局が第2のページングメッセージおよび第3のページングメッセージを生成する場合、第2のページングメッセージに指示情報を追加することができ、指示情報は第3のページングメッセージを示すために使用される。ここでの指示情報の構造および内容は、第1のページングメッセージで搬送される指示情報の構造および内容と同様であってもよく、前述の実施形態における指示情報の記述を参照することができる。詳細はここでは再度説明しない。
【０１０５】
本発明のいくつかの実施形態では、ステップ302において第1のページングメッセージおよび／または第2のページングメッセージを指示情報に従って決定するステップは、具体的には、
第1のページングメッセージまたは第1のページングメッセージに含まれる指示情報に従って、第2のページングメッセージのトランスポートブロックサイズ、第2のページングメッセージの構造、または第2のページングメッセージが存在するかどうかのうちの1つまたは複数を決定するステップ
を含んでもよい。
【０１０６】
具体的には、第1のページングメッセージに含まれる指示情報を取得した後、第1のページングメッセージに含まれる指示情報に従って、UEは、第2のページングメッセージが存在するかどうかを決定することができ、第2のページングメッセージが存在すると決定した場合に第2のページングメッセージのトランスポートブロックサイズおよび構造をさらに決定する。このようにして、UEは、第2のページングメッセージの決定されたトランスポートブロックサイズに従って、第2のページングメッセージを受信する。
【０１０７】
本発明のいくつかの実施形態では、ステップ302において、第1のページングメッセージおよび／または第2のページングメッセージを指示情報に従って決定するステップは、具体的には、
決定された第1のページングメッセージに一致するページングUEサブIDが存在しない場合、第2のページングメッセージの受信を停止するステップ、または、
第1のページングメッセージに一致するページングUEサブIDが存在する場合、第2のページングメッセージを受信するステップ
を含んでもよい。
【０１０８】
具体的には、UEは、まず、第1のページングメッセージ内のページングUEサブIDを検出する。サブIDがUEのページングUEサブIDと一致しない場合、それは、基地局がページングメッセージをUEに送信しなかったことを示す。第1のページングメッセージ内のページングUEサブIDが最初に検出される。サブIDがUEのページングUEサブIDと一致する場合、それは、UEがさらに検出を行う必要があることを示す。この場合、UEは、第1のページングメッセージの指示情報に従って第2のページングメッセージを受信し、第2のページングメッセージから別のページングUEサブIDを取得する必要がある。別のサブIDがUEのサブIDにも一致する場合、それは、基地局がページングメッセージをUEに送信したことを示す。決定された第1のページングメッセージに一致するページングUEサブIDが存在し、かつ決定された第2のページングメッセージにページングUEサブIDが存在しない場合、UEがページングされていないと決定される。あるいは、決定された第1のページングメッセージに一致するページングUEサブIDが存在し、かつ決定された第2のページングメッセージに一致するページングUEサブIDが存在する場合、UEがページングされていると決定される。
【０１０９】
本発明のいくつかの実施形態では、第1のページングメッセージに含まれるページングUE IDは、第1のページングメッセージで搬送される他の情報によって示されてもよい。例えば、第1のページングメッセージを送信するために使用される時間リソース情報および／または周波数リソース情報は、いくつかのページングUE IDまたはページングUEサブIDを示すために使用されてもよい。例えば、ページングUE IDは、3つのサブIDを含んでもよい。第1のサブIDは、第1のページングメッセージを送信するために使用される時間リソース情報および／または周波数リソース情報によって示されてもよく、第2のサブIDおよび第3のサブIDは、第1のページングメッセージおよび第2のページングメッセージの指示情報でそれぞれ搬送されてもよい。この方法によれば、ページングメッセージのオーバヘッドを低減することができるので、システムリソースの利用効率が向上し、ページングメッセージを検出するためにUEによって消費される電力消費が低減される。言い換えれば、UEは、時間リソース情報および周波数リソース情報を解析していくつかのページングUE IDを取得することができ、UEはさらにページングUE IDを決定する必要がないので、UEの電力消費が低減される。
【０１１０】
本発明の前述の実施形態の説明から分かるように、第1のページングメッセージに含まれる指示情報が最初に取得され、指示情報は、第1のページングメッセージを受信する、および／または第2のページングメッセージを受信するように指示するために使用される関連情報であり、第1のページングメッセージおよび／または第2のページングメッセージは指示情報に従って決定され、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【０１１１】
以下では、本発明の実施形態における上記の解決策をよりよく理解し、実施するために、対応するアプリケーションシナリオを例として詳細に説明する。
【０１１２】
第1のページングメッセージのトランスポートブロックサイズは、予め設定されるか、予め構成されるか、またはシグナリングによって示される。例えば、第1のページングメッセージのトランスポートブロックサイズは、システム情報によって示される。第1のページングメッセージのトランスポートブロックサイズは、予め設定されるか、または予め構成される。したがって、UEは、第1のページングメッセージを受信するときに、第1のページングメッセージのトランスポートブロックサイズを決定し、その後、第1のページングメッセージを受信する。
【０１１３】
第2のページングメッセージのトランスポートブロックサイズは可変であり、予め設定されるか、第1のページングメッセージによって示されるか、または第1のページングメッセージに従って決定される。第2のページングメッセージのトランスポートブロックサイズは可変であるため、第2のページングメッセージのサイズを柔軟に調整して、ページング容量を適応的に調整することができる。
【０１１４】
本発明のこの実施形態では、ページングメッセージは、1つまたは複数のページングUE IDに関する情報を含む。特に、ページングメッセージは、代わりに空のメッセージであってもよい。
【０１１５】
本発明のこの実施形態では、ページングUE IDは、複数のページングUEサブIDを含んでもよい。すなわち、ページングUEサブIDは、ページングUE IDのいくつかの情報を含む。特に、ページングUEサブIDは、ページングUE IDと同等であってもよく、またはページングUEサブIDは空である。例えば、ページングUE ID1＝（ページングUE ID1a，ページングUE ID1b，ページングUE ID1c）が成立する。ここで、括弧内のカンマはカスケード関係を表している。
【０１１６】
より具体的には、ページングUE IDの長さは40ビットであると仮定すると、ページングUE IDは2つのページングUEサブIDを含むことができる。例えば、各ページングUEサブIDの長さは20ビットである。別の例では、ページングUE IDの長さは40ビットであり、ページングUE IDは3つのページングUEサブIDを含んでもよい。ページングUEサブIDの長さは15ビットであり、他のページングUEサブIDの長さは15ビットであり、他のサブIDの長さは10ビットである。
【０１１７】
ページングUE IDを形成するページングUEサブIDの数およびページングUEサブIDの長さは、予め設定されてもよく、予め構成されてもよく、指示情報によって示されてもよい。例えば、第1のページングメッセージ内の指示情報は、ページングUE IDを形成するページングUEサブIDの長さ、および／またはページングUEサブIDの数を示す。
【０１１８】
UEは、（無線フレームおよび／または無線サブフレームのような）決定された時点でページングメッセージを常にリスンするが、実際にはほとんどの場合、UEがリスンするページングメッセージは、UEがページングされていることを示さない。すなわち、UEは、UEがページングされていないことを示すページングメッセージをリスンする際に多くの電力消費を浪費する。特に、カバレッジが強化される場合、ページングメッセージは繰り返し送信される必要がある。このため、消費電力のオーバヘッドが大きくなる。この観点から、UEは、まず、より小さいメッセージをリスンする可能性があり、メッセージはページングUE ID（すなわち、ページングUEサブID）のいくつかの情報を搬送する。UEは、このより小さいメッセージを最初に検出する。UEは、ページングUE IDのいくつかの情報がUEのID（またはページングUEサブID）と一致しないことを発見すると、基地局またはネットワーク側がUEをページングしないと決定する。この場合、UEはページングメッセージの受信を停止するため、UEの電力消費が大幅に低減される。UEは、ページングUE IDのいくつかの情報がUEのページングUE ID（またはページングUEサブID）と一致することを発見すると、基地局またはネットワーク側がUEをページングできると決定する。この場合、基地局またはネットワーク側が実際にUEをページングするかどうかを決定するために、UEはページングメッセージを受信し続ける必要がある。
【０１１９】
第1のページングメッセージは、1つまたは複数のフォーマットを有することができる。システムまたは規格は、第1のページングメッセージによって使用されるフォーマットを予め定義することができる。あるいは、基地局（またはシステム）は、明示のまたは暗黙の方法を使用して、第1のページングメッセージのフォーマットを示す。例えば、第1のページングメッセージのフォーマットは、第1のページングメッセージの指示情報によって示される。図4-aを参照すると、図4-aは、本発明の一実施形態によるページングメッセージの概略構成図である。各ページングUE IDは、2つのページングUEサブIDを含む。第1のページングメッセージは、4つのUEの第1のページングUEサブIDを搬送し、第2のページングメッセージは、4つのUEの第2のページングUEサブIDを搬送する。ページングUE ID1はID1aとID1bとを含み、ページングUE ID2はID2aとID2bとを含み、ページングUE ID3はID3aとID3bとを含み、ページングUE ID4はID4aとID4bとを含む。第1のページングメッセージでID1a、ID2a、ID3a、およびID4aが搬送され、第2のページングメッセージでID1b、ID2b、ID3b、およびID4bが搬送される。
【０１２０】
UEは、まず、第1のページングメッセージを受信する。UEは、第1のページングメッセージで搬送されたページングUEサブIDが、UEのページングUE ID内の第1のページングUEサブIDと一致することを発見すると、基地局によって送信されたページングメッセージが、UEがページングされたことを示すことができると決定する。さらに、UEは、第2のページングメッセージを検出し、第2のページングメッセージは、前述のページングUE IDの第2のページングUEサブIDを搬送する。第2のページングメッセージで搬送されたページングUEサブIDが、UEのページングUE ID内の第2のページングUEサブIDと一致する場合、UEは、基地局がUEをページングすると決定する。そうでない場合、UEは、基地局またはネットワーク側がUEをページングしないと決定する。
【０１２１】
UEが、第1のページングメッセージにおいて、UEのページングUE IDの第1のページングUEサブIDに一致するページングUEサブIDが存在しないことを発見した場合、UEは、基地局またはネットワーク側がUEをページングしないと決定する。この場合、UEは第2のページングメッセージの受信を停止するので、UEによるページングメッセージの検出の複雑さが減少し、UEの電力消費が低減される。
【０１２２】
具体的には、例えば、UE1のページングUE IDがページングUE ID1であり、ページングUE ID1はページングUE ID1aおよびページングUE ID1bを含む。基地局またはネットワーク側がUE1をページングする場合、第1のページングメッセージはページングUE ID1aを搬送し、第2のページングメッセージはページングUE ID1bを搬送する。UE1は、第1のページングメッセージを最初に検出する。UE1が、第1のページングメッセージがページングUE ID1aを含むことを発見した場合、UE1は、基地局またはネットワーク側がUEをページングできると決定する。さらに、UE1は、第2のページングメッセージを最初に検出する。UE1が、第2のページングメッセージがページングUE ID1bを含むことを発見した場合、UE1は、基地局またはネットワーク側がUEをページングすると決定する。UE1が、第2のページングメッセージにページングUE ID1bが含まれていないことを発見した場合、UE1は、基地局またはネットワーク側がUEをページングしないと決定する。確かに、UE1が、第1のページングメッセージがページングUE ID1aを含まないことを発見した場合、UE1は、基地局またはネットワーク側がUEをページングしないと決定する。
【０１２３】
接続状態のUEのシステム情報の更新を示すために、第1のページングメッセージ内の指示情報は、システム情報の更新を示す情報を含むことができる。例えば、第1のページングメッセージは、システム更新情報（systemInfoModification）を含むことができる。systemInfoModificationがある場合、UEは、システム情報が更新される（またはシステム情報が更新され得るか、または何らかのシステム情報が更新される）と決定する。
【０１２４】
オプションとして、多くのタイプのページングUE IDがあり、異なるタイプのページングUE IDの長さは異なってもよい。第1のページングメッセージにおいて、異なるタイプのページングUE IDを柔軟にサポートするために、第1のページングメッセージの指示情報は、ページングUE ID設定情報または構成情報を示すことができる。第1のページングメッセージのトランスポートブロックサイズが決定され、したがって、決定されたサイズを有する第1のページングメッセージは、異なるタイプのページングUE IDを示すことができる。さらに、第1のページングメッセージのトランスポートブロックサイズが決定され、したがって、可変量のページングUE（すなわち、第1のページングメッセージが示すようにページングされるUEの数が可変である）が決定されたサイズを有する第1のページングメッセージでサポートされて、柔軟なシステム設計を実現する。
【０１２５】
例えば、IMSIがS-TMSIの2倍の長さである場合、UE IDタイプがIMSIであるUEのページングビット長は、ページングUE IDタイプがS-TMSIである2つのUEのページングをサポートすることができる。さらに、一般に、IMSIは、ページングUE IDとしてほとんど使用されない。しかしながら、いくつかのシナリオでは、UEをページングするためにIMSIのみが使用され得る。したがって、ページングメッセージについては、ページングUE IDがIMSIである場合もサポートされる必要がある。この場合、基地局は、使用中のページングUE IDがS-TMSIであるかIMSIであるかをUEに示す必要がある。さらに、基地局は、ページングUE IDがS-TMSIに基づくUEの数およびページングUE IDがIMSIに基づくUEの数をさらに示すことができる。
【０１２６】
例えば、第1のページングメッセージのサイズは120ビットであると仮定すると、S-TMSIに基づくページングUEサブIDのみが第1のページングメッセージに含まれる。各ページングUEサブIDの長さが20ビットである場合、第1のページングメッセージは6個のUEのページングUEサブIDを含むことができ、すなわち、第1のページングメッセージは6個のUEへのページングを開始するために使用され得る。各ページングUEサブIDの長さが10ビットである場合、第1のページングメッセージは12個のUEのページングUEサブIDを含むことができ、すなわち、第1のページングメッセージは12個のUEへのページングを開始するために使用され得る。このようにして、ページングされるべきUEの数を、ネットワークのページングメッセージ容量要件を満たすように、第1のページングメッセージのサイズが同じままである間に適応的に調整することができる。
【０１２７】
さらに、第1のページングメッセージ内の指示情報は、ページングUE ID（またはページングUEサブID）設定（または構成）情報を示すことができる。例えば、ページングUE ID設定（または構成）情報は、ページングUE IDタイプがIMSIであるIDの数量指示情報、ページングUE IDタイプがS-TMSIであるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【０１２８】
本発明における他の情報は、空のメッセージであってもよく、この場合、第1のページングメッセージのメッセージ構造は、他の情報を含まないことに留意されたい。別のメッセージが空のメッセージでない場合、第1のページングメッセージは別のメッセージをさらに含む。
【０１２９】
以下に、第1のページングメッセージの特定の実施形態を提供する。
【０１３０】
指示情報のMビットは、S-TMSI設定に使用されると仮定する。Mビットは、ページングUE IDタイプがS-TMSIであるIDの数量指示情報、タイプがS-TMSIであるページングUEサブIDの値指示情報、タイプがS-TMSIであるページングUEサブIDの位置指示情報、またはページングUE IDタイプの指示情報のうちの1つまたは複数の設定のために使用されてもよい。例えば、S-TMSI設定に2ビットを使用すると仮定する。表1を参照すると、表1は、2ビットとS-TMSI設定との間の関係を示している。表内の長さは、ビット、10進数、または8進バイトの単位で測定されてもよい。
【０１３１】
【表１】
2020010374.tif 000003
【０１３２】
指示情報中のNビットがIMSI設定のために使用されると仮定する。Nビットは、ページングUE IDタイプがIMSIであるページングUE IDの数量指示情報、タイプがS-TMSIであるページングUEサブIDの位置指示情報、タイプがIMSIであるページングUEサブIDの値指示情報のうちの1つまたは複数の設定のために使用されてもよい。
【０１３３】
S-TMSI設定またはIMSI設定を実行するために、1つまたは複数の独立指示、組み合わせ指示、またはビットマップ指示が使用されてもよい。独立指示とは、1つのフィールドが1つの特定の指示情報を示すことを意味する。組み合わせ指示とは、1つのフィールドが複数の特定の指示情報を示すことを意味する。ビットマップ指示とは、1つのフィールド内の各ビットが特定の指示情報を示すことを意味する。確かに、S-TMSI設定およびIMSI設定に対して実行される組み合わせ設定のために、代わりにKビットであってもよい。詳細はここでは説明しない。
【０１３４】
以下の表2を参照すると、3ビットを使用したIMSI設定が以下の表に示されている。1ビットは、タイプがIMSIであるページングUEサブIDの値指示に使用され、他の2ビットは、タイプがIMSIであるページングUE IDの数量指示に使用される。オプションとして、タイプがIMSIであるページングUEサブIDの値は、不変であってもよく、予め設定されてもよい。このようにして、指示情報は、タイプがIMSIであるページングUEサブIDの値を示す必要がなくなる。
【０１３５】
【表２】
2020010374.tif 000004
【０１３６】
第1のページングメッセージにおいて、指示情報を搬送するフィールドの位置および／またはフィールドのサイズは、不変であってもよく、予め設定されてもよい。例えば、第1のページングメッセージ内の指示情報を示すフィールドは、第1のページングメッセージの第1の（または最後の）位置にある。第1のページングメッセージ内の指示情報は1つまたは複数のタイプの指示情報を含むので、第1のページングメッセージ内の指示情報を示すフィールドにおける、異なるタイプの指示情報を示すビットまたはフィールドの位置、および／またはビットもしくはフィールドのサイズもまた、不変であってもよく、予め設定されてもよい。
【０１３７】
第1のページングメッセージが、タイプがIMSIであるページングUE ID（またはページングUEサブID）を含む場合、タイプがIMSIであるページングUE IDの第1のページングメッセージ内の位置は、不変であるかまたは予め定義される。例えば、タイプがIMSIであるページングUE IDが指示情報のフィールドに続く（または先行する）ことが予め定義される。タイプがIMSIであるページングUE IDの第1のページングメッセージに占めるビット長は、タイプがIMSIであるページングUE IDの数と、タイプがIMSIであるページングUE IDの長さによって決定される。同様に、タイプがIMSIであるページングUE IDの、第1のページングメッセージ内の位置も定義することができる。
【０１３８】
第1のページングメッセージが、タイプがIMSIであるページングUE ID（またはページングUEサブID）およびタイプがS-TMSIであるページングUE ID（またはページングUEサブID）の両方を含む場合、タイプがIMSIであるページングUE ID（またはページングUEサブID）と、タイプがS-TMSIであるページングUE ID（またはページングUEサブID）との間の位置関係は、不変であるかまたは予め定義される。例えば、タイプがIMSIであるページングUE ID（またはページングUEサブID）は、タイプがS-TMSIであるページングUE ID（またはページングUEサブID）よりも常に先行する。あるいは、タイプがS-TMSIである第1のページングUE ID（または第1のページングUEサブID）は、タイプがIMSIである最後のページングUE ID（または最後のページングUEサブID）に続く。
【０１３９】
図4-bを参照すると、図4-bは、本発明の一実施形態による別のページングメッセージの概略構成図である。図4-bは、第1のページングメッセージの異なる構造を示し、トランスポートブロックサイズは同じままである。例えば、第1のページングメッセージを搬送するトランスポートブロックのサイズは168ビットであると仮定する。指示情報は8ビットを占有する。
【０１４０】
図4-bに示す第1の構造では、第1のページングメッセージは、指示情報と、タイプがS-TMSIである8つのページングUEサブIDとを含む。タイプがS-TMSIである各ページングUEサブIDの長さは20ビットである。
【０１４１】
図4-bに示す第2の構造では、第1のページングメッセージは、指示情報、タイプがIMSIである2つのページングUEサブID、およびタイプがS-TMSIである4つのページングUEサブIDを含む。タイプがIMSIである各ページングUEサブIDの長さは40ビットであり、タイプがS-TMSIである各ページングUEサブIDの長さは20ビットである。
【０１４２】
図4-bに示す第3の構造では、第1のページングメッセージは、指示情報、タイプがIMSIである2つのページングUEサブID、およびタイプがS-TMSIである2つのページングUEサブIDを含む。タイプがIMSIである各ページングUEサブIDの長さは40ビットであり、タイプがS-TMSIである各ページングUEサブIDの長さは40ビットである。
【０１４３】
図4-bに示す第4の構造では、第1のページングメッセージは、指示情報、タイプがIMSIである1つのページングUEサブID、およびタイプがS-TMSIである2つのページングUEサブIDを含む。タイプがIMSIであるページングUEサブIDの長さは80ビットであり、タイプがS-TMSIである各ページングUEサブIDの長さは40ビットである。
【０１４４】
図4-bに示す第5の構造では、第1のページングメッセージは、指示情報と、タイプがIMSIである2つのページングUEサブIDとを含む。タイプがIMSIである各ページングUEサブIDの長さは80ビットである。
【０１４５】
指示情報は、タイプがIMSIであるページングUEサブIDの長さ、タイプがIMSIであるページングUEサブIDの数、タイプがS-TMSIであるページングUEサブIDの長さ、またはタイプがS-TMSIであるページングUEサブIDの数のうちの1つまたは複数を示すことができる。
【０１４６】
上述したように、第1のページングメッセージを受信した後、UEは、第2のページングメッセージを受信するかどうか、および／または第2のページングメッセージが存在するかどうかを決定する必要がある。UEが第2のページングメッセージを受信する必要がある場合、UEは、第2のページングメッセージのトランスポートブロックサイズおよび／または第2のページングメッセージの構造を決定する必要がある。UEは、第1のページングメッセージに従って、第2のページングメッセージのトランスポートブロックサイズ、および／または第2のページングメッセージの構造、および／または第2のページングメッセージが存在するかどうかを決定することができる。
【０１４７】
例えば、第1のページングメッセージの指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ、第2のページングメッセージに含まれるページングUE ID数量、または第2のページングメッセージの構造のうちの1つまたは複数を含むことができる。あるいは、UEは、第1のページングメッセージの指示情報に従って、第2のページングメッセージのトランスポートブロックサイズ、および／または第2のページングメッセージの構造、および／または第2のページングメッセージが存在するかどうかを暗黙的に決定する。
【０１４８】
次に、図4-bに示す第1のページングメッセージに対応する第2のページングメッセージについて説明する。第1のタイプの第2のページングメッセージは、タイプがS-TMSIである8つのページングUEサブIDを含む。第2のタイプの第2のページングメッセージは、タイプがS-TMSIである4つのページングUEサブIDを含む。第3〜第5の構造の第1のページングメッセージに対応する第2のページングメッセージは存在しない。
【０１４９】
確かに、第2のページングメッセージは、代わりに指示情報を含むことができる。指示情報の具体的な使用法および構成は、上述したものと同様である。詳細はここでは再度説明しない。確かに、第2のページングメッセージにおける指示情報を、第2のページングメッセージを示すために、および／または第3のページングメッセージを示すためにのみ使用することができる。
【０１５０】
あるいは、第2のページングメッセージは、異なるメッセージ構造を有してもよい。例えば、第2のページングメッセージは第1の情報のみを含み、第1の情報の長さ（またはサイズ）は第1のページングメッセージによって示されるか、または第1のページングメッセージに従って決定される。別の例では、第2のページングメッセージは、第1の情報と第2の情報のみを含み、第1の情報は前述と同じであり、第2の情報は第1のページングメッセージの指示情報に従って決定される。さらに別の例では、第2のページングメッセージは少なくとも第1の情報、第2の情報および指示情報を含み、第1の情報および第2の情報は前述の説明と同じである。本発明における指示情報のいくつかの情報は、予め定義されていても予め設定されていてもよいことに留意されたい。
【０１５１】
さらに、ページングメッセージのオーバヘッドを低減するために、より小さい長さのページングUE IDが使用されてもよい。あるいは、ページングメッセージを送信するために使用される時間リソース情報および／または周波数リソース情報を使用して、いくつかのページングUE ID（またはページングUEサブID）情報が暗黙的に搬送される。他のページングUE ID情報は、シグナリングを使用してUEに示されてもよい。
【０１５２】
例えば、UEのページングフレーム（Paging frame）および／またはページング機会（paging occasion）の時点は、UE IDに従って決定され、UE IDは、IMSIに従って決定される。例えば、UE IDは、IMSI mod 1024に等しい。しかしながら、基地局は、移動管理エンティティによって送信されたUE ID情報のみを受信し、基地局は、UE ID情報に従って有効なページングUE ID情報を取得することができない。
【０１５３】
UEのページングフレーム（Paging frame）の時点および／またはUEのページング機会（paging occasion）の時点がUE IDに従って決定され、UE IDがページングUE IDに従って決定される場合、UE ID、またはUEのページングフレームの時点および／もしくはUEのページング機会の時点は、ページングUE IDのいくつかの情報を反映することができる。図4-cを参照すると、図4-cは、本発明の一実施形態によるS-TMSIの指示の概略図である。ページングUE IDは、40ビットのS-TMSIであると仮定する。2^40個のS-TMSIのすべてが1024個のグループに分割されている場合、UEのページングフレームの時点および／またはUEのページング機会の時点はグループIDと関連しており、すなわち、UE IDが属するグループIDであり、UE IDはS-TMSIに等しい。この場合、10ビットのS-TMSIは、ページングフレームの時点および／またはページング機会の時点に従って実際に決定される。残りの30ビットのS-TMSIは、シグナリングまたはページングメッセージを使用してUEに送信されてもよい。UEは、UEのページングUE IDによって決定されたUEのページングフレームの時点および／またはUEのページング機会の時点でページングメッセージを検出して、ページングメッセージのIDの30ビットがUEのページングUE IDの30ビットと一致するかどうかをチェックするだけでよい。一致が成功した場合、ページングメッセージは、UEがページングされていることを示す。そうでなければ、ページングメッセージは、UEがページングされていることを示さない。この方法によれば、ページングメッセージのオーバヘッドを低減することができるので、システムリソースの利用効率が向上し、ページングメッセージを検出するためにUEによって消費される電力消費が低減される。明らかに、ページングメッセージのオーバヘッドを低減する方法は、ページングメッセージをより効果的に送信し、より良い方法でUEの電力消費を低減するために、前述のページングメッセージ送信方法と組み合わせて使用されてもよい。
【０１５４】
説明を容易にするために、前述の各方法の実施形態は、一連の動作の組み合わせとして説明されていることに留意されたい。しかしながら、いくつかのステップは、本発明に従って別のシーケンスで、または同時に実行され得るので、当業者は、本発明が記載された動作シーケンスに限定されないことを理解すべきである。さらに、当業者は、明細書に記載されたすべての実施形態が好ましい実施形態であり、関連する動作およびモジュールが必ずしも本発明に必須であるとは限らないことも理解すべきである。
【０１５５】
本発明の実施形態における前述の解決策をより容易に実施するために、以下に、前述の解決策を実施するための関連装置をさらに提供する。
【０１５６】
図5を参照すると、本発明の一実施形態は、基地局500を提供する。基地局500は、決定モジュール501と、第1の送信モジュール502と、第2の送信モジュール503とを含むことができる。
【０１５７】
決定モジュール501は、第1のページングメッセージに含まれる指示情報を決定するように構成され、指示情報を使用して、ユーザ機器（UE）に第1のページングメッセージを受信する、および／または第2のページングメッセージを受信するよう指示する。
【０１５８】
第1の送信モジュール502は、指示情報を含む第1のページングメッセージを送信するように構成され、第1のページングメッセージは第1のトランスポートブロックに含まれる。
【０１５９】
第2の送信モジュール503は、指示情報が、第2のページングメッセージを受信するようにユーザ機器に指示する場合に第2のページングメッセージを送信するように構成され、第2のページングメッセージは第2のトランスポートブロックに含まれ、第2のトランスポートブロックおよび第1のトランスポートブロックは別々に送信される異なるトランスポートブロックである。
【０１６０】
本発明のいくつかの実施形態では、第1のページングメッセージはページングUEサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【０１６１】
本発明のいくつかの実施形態では、ページングUE IDを形成するページングUEサブIDの数が、予め設定されるかまたはシグナリングによって示される、および／または、
第1のページングメッセージに含まれ、ページングUE IDに関連するページングUEサブIDの数が、予め設定されるかまたはシグナリングによって示される、および／または、
第2のページングメッセージに含まれ、ページングUE IDに関連するページングUEサブIDの数が、予め設定されるかまたはシグナリングによって示される。
【０１６２】
本発明のいくつかの実施形態では、ページングUE IDを形成するページングUEサブIDの長さが、予め設定されるかまたはシグナリングによって示される、および／または、
第1のページングメッセージに含まれ、ページングUE IDに関連するページングUEサブIDの長さが、予め設定されるかまたはシグナリングによって示される、および／または、
第2のページングメッセージに含まれ、ページングUE IDに関連するページングUEサブIDの長さが、予め設定されるかまたはシグナリングによって示される。
【０１６３】
本発明のいくつかの実施形態では、決定モジュール501は、事前定義に従って第1のページングメッセージのフォーマットを決定するか、または第1のページングメッセージのフォーマットを自己決定するように構成され、次いで、第1の送信モジュールは、シグナリングまたは暗黙指示を使用して、第1のページングメッセージの決定されたフォーマットをピアデバイスに通知する。
【０１６４】
本発明のいくつかの実施形態では、シグナリングは、指示情報、システム情報、無線リソース制御シグナリング、メディアアクセス制御シグナリング、または物理層シグナリングのうちの1つまたは複数である。
【０１６５】
本発明のいくつかの実施形態では、指示情報は、システム情報の更新の指示情報、地震津波警報システムの指示情報、または商用移動警報サービスの指示情報のうちの1つまたは複数を含む。
【０１６６】
本発明のいくつかの実施形態では、指示情報は、ページングUE IDを示す設定情報を含み、
ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【０１６７】
本発明のいくつかの実施形態では、指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【０１６８】
本発明のいくつかの実施形態では、第2のページングメッセージは指示情報を含み、第2のページングメッセージの指示情報を使用して、第2のページングメッセージを示す、および／または第3のページングメッセージを示す。
【０１６９】
本発明のいくつかの実施形態では、第1のページングメッセージを送信するために使用される時間リソース情報および／または周波数リソース情報は、いくつかのページングUE IDまたはページングUEサブIDを示すために使用される。
【０１７０】
本発明の前述の実施形態の説明から分かるように、第1のページングメッセージに含まれる指示情報が最初に取得され、指示情報は、第1のページングメッセージを受信する、および／または第2のページングメッセージを受信するように指示するために使用される関連情報であり、第1のページングメッセージおよび／または第2のページングメッセージは指示情報に従って決定され、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【０１７１】
図6を参照すると、本発明の一実施形態は、ユーザ機器600を提供する。ユーザ機器600は、取得モジュール601および決定モジュール602を含むことができる。
【０１７２】
取得モジュール601は、第1のページングメッセージに含まれる指示情報を取得するように構成され、指示情報は、第1のページングメッセージを受信する、および／または第2のページングメッセージを受信するように指示するために使用される関連情報である。
【０１７３】
決定モジュール602は、第1のページングメッセージおよび／または第2のページングメッセージを指示情報に従って決定するように構成され、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。
【０１７４】
本発明のいくつかの実施形態では、第1のページングメッセージはページングユーザ機器（UE）のサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【０１７５】
本発明のいくつかの実施形態では、ページングUE IDを形成するページングUEサブIDの数が、予め設定されるかまたはシグナリングによって示される、および／または、
第1のページングメッセージに含まれ、ページングUE IDに関連するページングUEサブIDの数が、予め設定されるかまたはシグナリングによって示される、および／または、
第2のページングメッセージに含まれ、ページングUE IDに関連するページングUEサブIDの数が、予め設定されるかまたはシグナリングによって示される。
【０１７６】
本発明のいくつかの実施形態では、ページングUE IDを形成するページングUEサブIDの長さが、予め設定されるかまたはシグナリングによって示される、および／または、
第1のページングメッセージに含まれ、ページングUE IDに関連するページングUEサブIDの長さが、予め設定されるかまたはシグナリングによって示される、および／または、
第2のページングメッセージに含まれ、ページングUE IDに関連するページングUEサブIDの長さが、予め設定されるかまたはシグナリングによって示される。
【０１７７】
本発明のいくつかの実施形態では、決定モジュール601は、事前定義に従って第1のページングメッセージのフォーマットを決定する、または、シグナリングを受信し、受信されたシグナリングに従って第1のページングメッセージのフォーマットを決定する、または暗黙指示に従って第1のページングメッセージのフォーマットを決定するようにさらに構成される。
【０１７８】
本発明のいくつかの実施形態では、シグナリングは、指示情報、システム情報、無線リソース制御シグナリング、メディアアクセス制御シグナリング、または物理層シグナリングのうちの1つまたは複数である。
【０１７９】
本発明のいくつかの実施形態では、指示情報は、システム情報の更新の指示情報、地震津波警報システムの指示情報、または商用移動警報サービスの指示情報のうちの1つまたは複数を含む。
【０１８０】
本発明のいくつかの実施形態では、指示情報は、ページングUE IDを示す設定情報を含み、
ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【０１８１】
本発明のいくつかの実施形態では、指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【０１８２】
本発明のいくつかの実施形態では、決定モジュール602は、具体的には、第1のページングメッセージまたは第1のページングメッセージに含まれる指示情報に従って、第2のページングメッセージのトランスポートブロックサイズ、第2のページングメッセージの構造、または第2のページングメッセージが存在するかどうかのうちの1つまたは複数を決定するように構成される。
【０１８３】
本発明のいくつかの実施形態では、決定モジュール602は、具体的には、決定された第1のページングメッセージに一致するページングUEサブIDが存在しない場合、第2のページングメッセージの受信を停止する、または、第1のページングメッセージに一致するページングUEサブIDが存在する場合、第2のページングメッセージを受信するように構成される。
【０１８４】
本発明のいくつかの実施形態では、第2のページングメッセージは指示情報を含み、第2のページングメッセージの指示情報を使用して、第2のページングメッセージを示す、および／または第3のページングメッセージを示す。
【０１８５】
本発明のいくつかの実施形態では、決定モジュール602は、具体的には、第1のページングメッセージを送信するために使用される時間リソース情報および／または周波数リソース情報を用いて、いくつかのページングUE IDまたはページングUEサブIDを決定するように構成される。
【０１８６】
本発明の前述の実施形態の説明から分かるように、第1のページングメッセージに含まれる指示情報が最初に取得され、指示情報は、第1のページングメッセージを受信する、および／または第2のページングメッセージを受信するように指示するために使用される関連情報であり、第1のページングメッセージおよび／または第2のページングメッセージは指示情報に従って決定され、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【０１８７】
本発明の一実施形態では、コンピュータ記憶媒体がさらに提供される。コンピュータ記憶媒体はプログラムを記憶し、プログラムは前述の方法の実施形態で説明したステップの一部または全部を実行する。
【０１８８】
以下、本発明の一実施形態で提供される別の基地局について説明する。図7を参照すると、基地局700は、入力装置701、出力装置702、プロセッサ703、およびメモリ704を含む（基地局700内に1つまたは複数のプロセッサ703が存在してもよく、図7は、1つのプロセッサが存在する例を使用している）。本発明のいくつかの実施形態では、入力装置701、出力装置702、プロセッサ703、およびメモリ704は、バスなどを使用して接続されてもよく、図7は、接続がバスを使用して実装される例を使用している。
【０１８９】
プロセッサ703は、図2に対応するページングメッセージ送信方法を実行するように構成される。
【０１９０】
具体的には、プロセッサ703は、
第1のページングメッセージに含まれる指示情報を決定するステップであって、指示情報を使用して、第1のページングメッセージを受信する、および／または第2のページングメッセージを受信するようにユーザ機器（UE）に指示する、ステップと、
指示情報を含む第1のページングメッセージを送信するステップであって、第1のページングメッセージは第1のトランスポートブロックに含まれる、ステップと、
指示情報が第2のページングメッセージを受信するようにユーザ機器に指示する場合に、第2のページングメッセージを送信するステップであって、第2のページングメッセージは第2のトランスポートブロックに含まれ、第2のトランスポートブロックおよび第1のトランスポートブロックは別々に送信される異なるトランスポートブロックである、ステップと
を実行するように構成される。
【０１９１】
本発明のいくつかの実施形態では、メモリ704に格納される第1のページングメッセージはページングUEサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【０１９２】
本発明のいくつかの実施形態では、ページングUE IDを形成するページングUEサブIDの、メモリ704に格納される数が、予め設定されるかまたはシグナリングによって示される、および／または、
第1のページングメッセージに含まれ、ページングUE IDに関連するページングUEサブIDの数が、予め設定されるかまたはシグナリングによって示される、および／または、
第2のページングメッセージに含まれ、ページングUE IDに関連するページングUEサブIDの数が、予め設定されるかまたはシグナリングによって示される。
【０１９３】
本発明のいくつかの実施形態では、ページングUE IDを形成するページングUEサブIDの、メモリ704に格納される長さが、予め設定されるかまたはシグナリングによって示される、および／または、
第1のページングメッセージに含まれ、ページングUE IDに関連するページングUEサブIDの長さが、予め設定されるかまたはシグナリングによって示される、および／または、
第2のページングメッセージに含まれ、ページングUE IDに関連するページングUEサブIDの長さが、予め設定されるかまたはシグナリングによって示される。
【０１９４】
本発明のいくつかの実施形態では、プロセッサ703は、
事前定義に従って第1のページングメッセージのフォーマットを決定するステップ、または、
第1のページングメッセージのフォーマットを自己決定し、シグナリングまたは暗黙指示を使用して、第1のページングメッセージの決定されたフォーマットをピアデバイスに通知するステップ
を実行するようにさらに構成される。
【０１９５】
本発明のいくつかの実施形態では、メモリ704に格納されるシグナリングは、指示情報、システム情報、無線リソース制御シグナリング、メディアアクセス制御シグナリング、または物理層シグナリングのうちの1つまたは複数である。
【０１９６】
本発明のいくつかの実施形態では、メモリ704に格納される指示情報は、システム情報の更新の指示情報、地震津波警報システムの指示情報、または商用移動警報サービスの指示情報のうちの1つまたは複数を含む。
【０１９７】
本発明のいくつかの実施形態では、メモリ704に格納される指示情報は、ページングUE IDを示す設定情報を含み、
ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【０１９８】
本発明のいくつかの実施形態では、メモリ704に格納される指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【０１９９】
本発明のいくつかの実施形態では、メモリ704に格納される第2のページングメッセージは指示情報を含み、第2のページングメッセージの指示情報を使用して、第2のページングメッセージを示す、および／または第3のページングメッセージを示す。
【０２００】
本発明のいくつかの実施形態では、第1のページングメッセージを送信するために使用されかつメモリ704に格納される時間リソース情報および／または周波数リソース情報は、いくつかのページングUE IDまたはページングUEサブIDを示すために使用される。
【０２０１】
本発明の前述の実施形態の説明から分かるように、第1のページングメッセージに含まれる指示情報が最初に取得され、指示情報は、第1のページングメッセージを受信する、および／または第2のページングメッセージを受信するように指示するために使用される関連情報であり、第1のページングメッセージおよび／または第2のページングメッセージは指示情報に従って決定され、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【０２０２】
以下、本発明の一実施形態で提供される別のユーザ機器について説明する。図8を参照すると、ユーザ機器800は、入力装置801、出力装置802、プロセッサ803、およびメモリ804を含む（ユーザ機器800内に1つまたは複数のプロセッサ803が存在してもよく、図8は、1つのプロセッサが存在する例を使用している）。本発明のいくつかの実施形態では、入力装置801、出力装置802、プロセッサ803、およびメモリ804は、バスなどを使用して接続されてもよく、図8は、接続がバスを使用して実装される例を使用している。
【０２０３】
プロセッサ803は、図3に対応するページングメッセージ送信方法を実行するように構成される。
【０２０４】
具体的には、プロセッサ803は、
第1のページングメッセージに含まれる指示情報を取得するステップであって、指示情報は、第1のページングメッセージを受信する、および／または第2のページングメッセージを受信するように指示するために使用される関連情報である、ステップと、
第1のページングメッセージおよび／または第2のページングメッセージを指示情報に従って決定するステップであって、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである、ステップと
を実行するように構成される。
【０２０５】
本発明のいくつかの実施形態では、メモリ804に格納される第1のページングメッセージはページングユーザ機器（UE）のサブアイデンティティ（ID）を含み、同じUEに対応する複数のサブIDはページングUE IDを形成し、ページングUEサブIDは、ページングUE IDのいくつかの情報を含み、および／または
第2のページングメッセージは、ページングUE IDを形成する別のページングUEサブIDを含む。
【０２０６】
本発明のいくつかの実施形態では、ページングUE IDを形成するページングUEサブIDの、メモリ804に格納される数が、予め設定されるかまたはシグナリングによって示される、および／または、
第1のページングメッセージに含まれ、ページングUE IDに関連するページングUEサブIDの数が、予め設定されるかまたはシグナリングによって示される、および／または、
第2のページングメッセージに含まれ、ページングUE IDに関連するページングUEサブIDの数が、予め設定されるかまたはシグナリングによって示される。
【０２０７】
本発明のいくつかの実施形態では、ページングUE IDを形成するページングUEサブIDの、メモリ804に格納される長さが、予め設定されるかまたはシグナリングによって示される、および／または、
第1のページングメッセージに含まれ、ページングUE IDに関連するページングUEサブIDの長さが、予め設定されるかまたはシグナリングによって示される、および／または、
第2のページングメッセージに含まれ、ページングUE IDに関連するページングUEサブIDの長さが、予め設定されるかまたはシグナリングによって示される。
【０２０８】
本発明のいくつかの実施形態では、プロセッサ803は、
事前定義に従って第1のページングメッセージのフォーマットを決定するステップ、または、
シグナリングを受信し、受信されたシグナリングに従って第1のページングメッセージのフォーマットを決定するステップ、または、
暗黙指示に従って第1のページングメッセージのフォーマットを決定するステップ
を実行するようにさらに構成される。
【０２０９】
本発明のいくつかの実施形態では、メモリ804に格納されるシグナリングは、指示情報、システム情報、無線リソース制御シグナリング、メディアアクセス制御シグナリング、または物理層シグナリングのうちの1つまたは複数である。
【０２１０】
本発明のいくつかの実施形態では、メモリ804に格納される指示情報は、システム情報の更新の指示情報、地震津波警報システムの指示情報、または商用移動警報サービスの指示情報のうちの1つまたは複数を含む。
【０２１１】
本発明のいくつかの実施形態では、メモリ804に格納される指示情報は、ページングUE IDを示す設定情報を含み、
ページングUE ID設定情報は、ページングUE IDタイプが国際移動体加入者識別番号（IMSI）であるIDの数量指示情報、ページングUE IDタイプが一時的な移動加入者識別番号（S-TMSI）であるIDの数量指示情報、タイプがIMSIであるページングUEサブIDの値指示情報、タイプがS-TMSIであるページングUEサブIDの値指示情報、タイプがIMSIであるページングUEサブIDの位置指示情報、タイプがS-TMSIであるページングUEサブIDの位置指示情報、またはページングUE IDタイプの指示情報のうちの1つまたは複数を含む。
【０２１２】
本発明のいくつかの実施形態では、メモリ804に格納される指示情報は、第2のページングメッセージのサイズ情報、第2のページングメッセージの変調情報、第2のページングメッセージの符号化情報、第2のページングメッセージの時間リソース情報、第2のページングメッセージの周波数リソース情報、第2のページングメッセージの電力設定情報、第2のページングメッセージに含まれるページングUE IDタイプ情報、第2のページングメッセージに含まれるページングUE ID数量情報、または第2のページングメッセージの構造情報のうちの1つまたは複数を含む。
【０２１３】
本発明のいくつかの実施形態では、プロセッサ803は、具体的には、
第1のページングメッセージまたは第1のページングメッセージに含まれる指示情報に従って、第2のページングメッセージのトランスポートブロックサイズ、第2のページングメッセージの構造、または第2のページングメッセージが存在するかどうかのうちの1つまたは複数を決定するステップ
を実行するように構成される。
【０２１４】
本発明のいくつかの実施形態では、プロセッサ803は、具体的には、
決定された第1のページングメッセージに一致するページングUEサブIDが存在しない場合、第2のページングメッセージの受信を停止するステップ、または、
第1のページングメッセージに一致するページングUEサブIDが存在する場合、第2のページングメッセージを受信するステップ
を実行するように構成される。
【０２１５】
本発明のいくつかの実施形態では、メモリ804に格納される第2のページングメッセージは指示情報を含み、第2のページングメッセージの指示情報を使用して、第2のページングメッセージを示す、および／または第3のページングメッセージを示す。
【０２１６】
本発明のいくつかの実施形態では、プロセッサ803は、具体的には、
第1のページングメッセージを送信するために使用される時間リソース情報および／または周波数リソース情報を用いて、いくつかのページングUE IDまたはページングUEサブIDを決定するステップ
を実行するように構成される。
【０２１７】
本発明の前述の実施形態の説明から分かるように、第1のページングメッセージに含まれる指示情報が最初に取得され、指示情報は、第1のページングメッセージを受信する、および／または第2のページングメッセージを受信するように指示するために使用される関連情報であり、第1のページングメッセージおよび／または第2のページングメッセージは指示情報に従って決定され、第1のページングメッセージは第1のトランスポートブロックに含まれ、第2のページングメッセージは第2のトランスポートブロックに含まれ、第1のトランスポートブロックおよび第2のトランスポートブロックは別々に送信される異なるトランスポートブロックである。第1のページングメッセージに含まれる指示情報が第2のページングメッセージを示すとき、第2のページングメッセージも送信される。第1のページングメッセージおよび第2のページングメッセージは、異なるトランスポートブロックを使用して別々に送信され、最初に送信される第1のページングメッセージは、次に送信される第2のページングメッセージを示すために使用され得る。最初に受信された第1のページングメッセージに従って、端末は、次に送信される第2のページングメッセージを受信することができる。トランスポートブロックをスケジューリングするために制御チャネルを使用する必要はなく、ページングメッセージのトランスポートブロックサイズを柔軟に変更することができる。したがって、ネットワークリソースの占有が比較的少なく、ユーザ機器による制御チャネルの検出が回避され、ユーザ機器の検出電力消費が低減される。
【０２１８】
さらに、記載された装置の実施形態は単なる例であることに留意されたい。別個の部品として記載されたユニットは、物理的に分離していてもいなくてもよい。ユニットとして表示される部品は、物理ユニットであってもなくてもよく、1つの位置に配置されてもよく、複数のネットワークユニット上に配置されてもよい。モジュールの一部またはすべては、本実施形態の解決策の目的を達成するために実際のニーズに応じて選択されてもよい。さらに、本発明で提供される装置の実施形態の添付図面において、モジュール間の接続関係は、モジュールが互いに通信接続を有することを示し、具体的には1つまたは複数の通信バスまたは信号ケーブルとして実装されてもよい。当業者は、創造的な取り組みなしに本発明の実施形態を理解し、実施することができる。
【０２１９】
前述の実施形態の説明に基づいて、当業者は、本発明が、必要な汎用ハードウェアに加えてソフトウェアによって、または専用集積回路、専用CPU、専用メモリ、専用コンポーネントなどを含む専用ハードウェアによって実現され得ることを明らかに理解することができる。一般に、コンピュータプログラムによって実行可能な機能を、対応するハードウェアを用いて容易に実現することができる。また、同じ機能を実現するために使用される特定のハードウェア構成は、例えば、アナログ回路、デジタル回路、専用回路など、さまざまな形態のものであってもよい。しかし、本発明に関しては、多くの場合、ソフトウェアプログラムの実装がより良好な実装である。このような理解に基づいて、基本的に本発明の技術的解決策、または従来技術に寄与する部分は、ソフトウェア製品の形態で実現され得る。コンピュータソフトウェア製品は、フロッピディスク、USBフラッシュドライブ、リムーバブルハードディスク、読み出し専用メモリ（ROM、Read-Only Memory）、ランダムアクセスメモリ（RAM、Random Access Memory）、磁気ディスク、またはコンピュータの光ディスクなどの可読記憶媒体に格納され、コンピュータ装置（パーソナルコンピュータ、サーバ、ネットワーク装置などであってもよい）に本発明の実施形態で説明した方法を実行するように命令するためのいくつかの命令を含む。
【０２２０】
最後に、前述の実施形態は単に本発明の技術的解決策を説明することを意図しているに過ぎず、本発明を限定するものではない。前述の実施形態に関連して本発明を詳細に説明したが、当業者は、本発明の実施形態の技術的解決策の趣旨および範囲から逸脱することなく、前述の実施形態で説明した技術的解決策にさらなる変更を加えるか、一部のその技術的特徴に同等の置換を行うことができることを理解すべきである。
【符号の説明】
【０２２１】
500  基地局
501  決定モジュール
502  第1の送信モジュール
503  第2の送信モジュール
600  ユーザ機器
601  取得モジュール
602  決定モジュール
700  基地局
701  入力装置
702  出力装置
703  プロセッサ
704  メモリ
800  ユーザ機器
801  入力装置
802  出力装置
803  プロセッサ
804  メモリ
【図１】
2020010374.tif 000005
【図２】
2020010374.tif 000006
【図３】
2020010374.tif 000007
【図４−ａ】
2020010374.tif 000008
【図４−ｂ】
2020010374.tif 000009
【図４−ｃ】
2020010374.tif 000010
【図５】
2020010374.tif 000011
【図６】
2020010374.tif 000012
【図７】
2020010374.tif 000013
【図８】
2020010374.tif 000014
【手続補正書】
【提出日】令和1年10月3日(2019.10.3)
【手続補正１】
【補正対象書類名】特許請求の範囲
【補正対象項目名】全文
【補正方法】変更
【補正の内容】
【特許請求の範囲】
【請求項１】
ページングメッセージ送信方法であって、
第1のページングメッセージに含まれる指示情報を決定するステップであって、前記指示情報は、第2のページングメッセージが存在するかどうかを示す、ステップと、
前記指示情報を含む前記第1のページングメッセージを送信するステップであって、前記第1のページングメッセージは第1のトランスポートブロックに含まれる、ステップと、
前記指示情報が前記第2のページングメッセージが存在することを示す場合に、前記第2のページングメッセージを生成し、送信するステップであって、前記指示情報は前記第2のページングメッセージの変更情報、前記第2のページングメッセージの周波数リソース情報、および前記第2のページングメッセージの時間リソース情報を含む、ステップと、
を含み、
前記第2のページングメッセージは第2のトランスポートブロックに含まれ、前記第2のトランスポートブロックおよび前記第1のトランスポートブロックは別々に送信される異なるトランスポートブロックである、
方法。
【請求項２】
前記方法が、
前記第1のページングメッセージのフォーマットを自己決定し、前記指示情報を使用して前記第1のページングメッセージの前記決定されたフォーマットをユーザ機器に通知するステップをさらに含む、
請求項１に記載の方法。
【請求項３】
前記指示情報が、システム情報更新の指示情報、地震津波警報システムの指示情報、商用移動警報サービスの指示情報のうちの1つまたは複数をさらに含む、請求項１または２に記載の方法。
【請求項４】
ページングメッセージ受信方法であって、
第1のページングメッセージに含まれる指示情報を取得するステップであって、前記指示情報は、第2のページングメッセージが存在するかどうかを示す、ステップと、
前記第1のページングメッセージに含まれる前記指示情報に従って、前記第2のページングメッセージが存在するかどうかを決定するステップであって、前記第1のページングメッセージは第1のトランスポートブロックに含まれ、前記第2のページングメッセージは第2のトランスポートブロックに含まれ、前記第1のトランスポートブロックおよび前記第2のトランスポートブロックは別々に送信される異なるトランスポートブロックである、ステップと、
前記指示情報が、前記第2のページングメッセージが存在することを示す場合に、前記第2のページングメッセージを受信するステップであって、前記指示情報は、前記第2のページングメッセージの変更情報、前記第2のページングメッセージの周波数リソース情報、および前記第2のページングメッセージの時間リソース情報を含む、ステップと、
を含む方法。
【請求項５】
前記方法が、
前記指示情報を受信するステップと、前記受信した前記指示情報に従って前記第1のページングメッセージのフォーマットを決定するステップと、をさらに含む、
請求項４に記載の方法。
【請求項６】
前記指示情報が、システム情報の更新の指示情報、地震津波警報システムの指示情報、商用移動警報サービスの指示情報のうちの1つまたは複数をさらに含む、請求項４または５に記載の方法。
【請求項７】
基地局内の通信装置であって、
１つまたは複数のプロセッサとメモリを含み、前記メモリは、1つ又は複数のプロセッサによって実行されると、前記１つ又は複数のプロセッサに、
第1のページングメッセージに含まれる指示情報を決定するステップであって、前記指示情報は第2のページングメッセージが存在するかどうかを示す、ステップと、
前記指示情報を含む前記第1のページングメッセージを送信するステップであって、前記第1のページングメッセージは第1のトランスポートブロックに含まれる、ステップと、
前記指示情報が前記第2のページングメッセージが存在することを示す場合に、前記第2のページングメッセージを生成し、送信するステップであって、前記指示情報は前記第2のページングメッセージの変更情報、前記第2のページングメッセージの周波数リソース情報、および前記第2のページングメッセージの時間リソース情報を含む、ステップと、
を実行させる命令を格納し、
前記第2のページングメッセージは第2のトランスポートブロックに含まれ、前記第2のトランスポートブロックおよび前記第1のトランスポートブロックは別々に送信される異なるトランスポートブロックである、
通信装置。
【請求項８】
前記メモリは、1つ又は複数のプロセッサによって実行されると、前記１つ又は複数のプロセッサに、
前記第1のページングメッセージのフォーマットを自己決定し、前記指示情報を使用して前記第1のページングメッセージの前記決定されたフォーマットをユーザ機器に通知するステップを実行させる命令を格納する、
請求項７に記載の通信装置。
【請求項９】
前記指示情報が、システム情報更新の指示情報、地震津波警報システムの指示情報、商用移動警報サービスの指示情報のうちの1つまたは複数をさらに含む、請求項７または８に記載の通信装置。
【請求項１０】
ユーザ機器内の通信装置であって、
１つまたは複数のプロセッサとメモリを含み、前記メモリは、1つ又は複数のプロセッサによって実行されると、前記１つ又は複数のプロセッサに、
第1のページングメッセージに含まれる指示情報を取得するステップであって、前記指示情報は、第2のページングメッセージが存在するかどうかを示す、ステップと、
前記第1のページングメッセージに含まれる前記指示情報に従って、前記第2のページングメッセージが存在するかどうかを決定するステップであって、前記第1のページングメッセージは第1のトランスポートブロックに含まれ、前記第2のページングメッセージは第2のトランスポートブロックに含まれ、前記第1のトランスポートブロックおよび前記第2のトランスポートブロックは別々に送信される異なるトランスポートブロックである、ステップと、
前記指示情報が、前記第2のページングメッセージが存在することを示す場合に、前記第2のページングメッセージを受信するステップであって、前記指示情報は、前記第2のページングメッセージの変更情報、前記第2のページングメッセージの周波数リソース情報、および前記第2のページングメッセージの時間リソース情報を含む、ステップと、
を実行させる命令を格納する、
通信装置。
【請求項１１】
前記メモリは、1つ又は複数のプロセッサによって実行されると、前記１つ又は複数のプロセッサに、
前記指示情報を受信するステップと、前記受信した前記指示情報に従って前記第1のページングメッセージのフォーマットを決定するステップと、を実行させる命令を格納する、
請求項１０に記載の通信装置。
【請求項１２】
前記指示情報が、システム情報更新の指示情報、地震津波警報システムの指示情報、商用移動警報サービスの指示情報のうちの1つまたは複数をさらに含む、請求項１０または１１に記載の通信装置。
【請求項１３】
基地局であって、
第1のページングメッセージに含まれる指示情報を決定するように構成された決定モジュールであって、前記指示情報は、第2のページングメッセージが存在するかどうかを示す、決定モジュールと、
前記指示情報を含む前記第1のページングメッセージを送信するように構成された第1の送信モジュールであって、前記第1のページングメッセージは第1のトランスポートブロックに含まれる、第1の送信モジュールと、
前記指示情報が前記第2のページングメッセージが存在することを示す場合に、前記第2のページングメッセージを送信するように構成された第2の送信モジュールであって、前記指示情報は前記第2のページングメッセージの変更情報、前記第2のページングメッセージの周波数リソース情報、および前記第2のページングメッセージの時間リソース情報を含む、第2の送信モジュールと、を含み、
前記第2のページングメッセージは第2のトランスポートブロックに含まれ、前記第2のトランスポートブロックおよび前記第1のトランスポートブロックは別々に送信される異なるトランスポートブロックである、
基地局。
【請求項１４】
前記決定モジュールが、前記第1のページングメッセージのフォーマットを自己決定し、前記指示情報を使用して前記第1のページングメッセージの前記決定されたフォーマットをユーザ機器に通知するように構成された、請求項１３に記載の基地局。
【請求項１５】
前記指示情報が、システム情報更新の指示情報、地震津波警報システムの指示情報、商用移動警報サービスの指示情報のうちの1つまたは複数をさらに含む、請求項１３または１４に記載の基地局。
【請求項１６】
ユーザ装置であって、
第1のページングメッセージに含まれる指示情報を取得するように構成された取得モジュールであって、前記指示情報は、第2のページングメッセージが存在するかどうかを示し、
前記第1のページングメッセージに含まれる前記指示情報に従って、前記第2のページングメッセージが存在するかどうかを決定するように構成された決定モジュールであって、前記第1のページングメッセージは第1のトランスポートブロックに含まれ、前記第2のページングメッセージは第2のトランスポートブロックに含まれ、前記第1のトランスポートブロックおよび前記第2のトランスポートブロックは別々に送信される異なるトランスポートブロックである、決定モジュールと、
前記指示情報が、前記第2のページングメッセージが存在することを示す場合に、前記第2のページングメッセージを受信するように構成された前記決定モジュールであって、前記指示情報は、前記第2のページングメッセージの変更情報、前記第2のページングメッセージの周波数リソース情報、および前記第2のページングメッセージの時間リソース情報を含む、決定モジュールと、を含む、
ユーザ装置。
【請求項１７】
前記決定モジュールが、
前記指示情報を受信し、前記受信した前記指示情報に従って前記第1のページングメッセージのフォーマットを決定するように構成された、
請求項１６に記載のUE。
【請求項１８】
前記指示情報が、システム情報の更新の指示情報、地震津波警報システムの指示情報、商用移動警報サービスの指示情報のうちの1つまたは複数をさらに含む、請求項１６または１７に記載のUE。
【請求項１９】
請求項１乃至３のいずれか一項に記載の方法をコンピュータに実行させるプログラム。
【請求項２０】
請求項４乃至６のいずれか一項に記載の方法をコンピュータに実行させるプログラム。
【外国語明細書】
2020010374000001.pdf